(57)【要約】  量子化品質フィードバックを送るためのワイヤレス通信デバイスについて説明する。ワイヤレス通信デバイスは、信号を受信する受信機を含む。ワイヤレス通信デバイスはまた、受信機に結合されたチャネル推定回路を含む。チャネル推定回路は、信号に基づいてチャネル推定値を生成する。ワイヤレス通信デバイスはまた、チャネル推定回路に結合されたフィードバック判断回路を含む。フィードバック判断回路は、チャネル推定値に基づいて量子化品質フィードバックを生成する。ワイヤレス通信デバイスはまた、フィードバック判断回路に結合された送信機を含む。送信機は量子化品質フィードバックを送信する。
2014526828.tif 000002
【特許請求の範囲】
【請求項１】
量子化品質フィードバックを送るためのワイヤレス通信デバイスであって、
信号を受信する受信機と、
前記受信機に結合されたチャネル推定回路であって、前記信号に基づいてチャネル推定値を生成する、チャネル推定回路と、
前記チャネル推定回路に結合されたフィードバック判断回路であって、前記チャネル推定値に基づいて量子化品質フィードバックを生成する、フィードバック判断回路と、
前記フィードバック判断回路に結合された送信機であって、前記量子化品質フィードバックを送信する、送信機と
を備える、ワイヤレス通信デバイス。
【請求項２】
前記量子化品質フィードバックがスカラー値を備える、請求項１に記載のワイヤレス通信デバイス。
【請求項３】
前記フィードバック判断回路がまた、前記量子化品質フィードバックを量子化する、請求項１に記載のワイヤレス通信デバイス。
【請求項４】
前記量子化品質フィードバックが、推定フィードバックと量子化フィードバックとに基づいて生成される、請求項１に記載のワイヤレス通信デバイス。
【請求項５】
前記量子化品質フィードバックが、前記量子化品質を測定するメトリックを備える、請求項１に記載のワイヤレス通信デバイス。
【請求項６】
前記量子化品質フィードバックが、１つまたは複数の推定固有方向と１つまたは複数の量子化固有方向とに基づいて生成される、請求項１に記載のワイヤレス通信デバイス。
【請求項７】
前記フィードバック判断回路がまた、コードブックに基づいて前記１つまたは複数の推定固有方向を量子化する、請求項６に記載のワイヤレス通信デバイス。
【請求項８】
量子化品質フィードバックを受信するための基地局であって、
信号を送る送信機と、
量子化品質フィードバックを受信する受信機と、
前記受信機に結合された演算回路であって、前記量子化品質フィードバックに基づいて演算を実行する、演算回路と
を備える、基地局。
【請求項９】
前記量子化品質フィードバックがスカラー値を備える、請求項８に記載の基地局。
【請求項１０】
前記演算を実行することが、前記量子化品質フィードバックに基づいて情報を外挿することを備える、請求項８に記載の基地局。
【請求項１１】
前記演算を実行することが、通信レートを判断することを備える、請求項８に記載の基地局。
【請求項１２】
前記演算を実行することが、通信をスケジュールすることを備える、請求項８に記載の基地局。
【請求項１３】
通信をスケジュールすることが、ワイヤレス通信デバイスグルーピングを判断することを備える、請求項１２に記載の基地局。
【請求項１４】
前記演算を実行することが、通信チャネルのための変調を判断することを備える、請求項８に記載の基地局。
【請求項１５】
前記演算を実行することが、通信ビームを選択することを備える、請求項８に記載の基地局。
【請求項１６】
前記演算を実行することが、リンク適応を判断することを備える、請求項８に記載の基地局。
【請求項１７】
前記演算を実行することが、干渉抑圧を判断することを備える、請求項８に記載の基地局。
【請求項１８】
前記演算を実行することが、通信チャネルのためのコーディングを判断することを備える、請求項８に記載の基地局。
【請求項１９】
ワイヤレス通信デバイスによって量子化品質フィードバックを送るための方法であって、
信号を受信することと、
前記信号に基づいてチャネル推定値を生成することと、
前記チャネル推定値に基づいて量子化品質フィードバックを生成することと、
前記量子化品質フィードバックを送信することと
を備える、方法。
【請求項２０】
前記量子化品質フィードバックがスカラー値を備える、請求項１９に記載の方法。
【請求項２１】
前記量子化品質フィードバックを量子化することをさらに備える、請求項１９に記載の方法。
【請求項２２】
前記量子化品質フィードバックが、推定フィードバックと量子化フィードバックとに基づいて生成される、請求項１９に記載の方法。
【請求項２３】
前記量子化品質フィードバックが、１つまたは複数の推定固有方向と１つまたは複数の量子化固有方向とに基づいて生成される、請求項１９に記載の方法。
【請求項２４】
前記量子化品質フィードバックが、前記量子化品質を測定するメトリックを備える、請求項２３に記載の方法。
【請求項２５】
コードブックに基づいて前記１つまたは複数の推定固有方向を量子化することをさらに備える、請求項２３に記載の方法。
【請求項２６】
基地局によって量子化品質フィードバックを受信するための方法であって、
信号を送ることと、
量子化品質フィードバックを受信することと、
前記量子化品質フィードバックに基づいて演算を実行することと
を備える、方法。
【請求項２７】
前記量子化品質フィードバックがスカラー値を備える、請求項２６に記載の方法。
【請求項２８】
前記演算を実行することが、前記量子化品質フィードバックに基づいて情報を外挿することを備える、請求項２６に記載の方法。
【請求項２９】
前記演算を実行することが、通信レートを判断することを備える、請求項２６に記載の方法。
【請求項３０】
前記演算を実行することが、通信をスケジュールすることを備える、請求項２６に記載の方法。
【請求項３１】
通信をスケジュールすることが、ワイヤレス通信デバイスグルーピングを判断することを備える、請求項３０に記載の方法。
【請求項３２】
前記演算を実行することが、通信チャネルのための変調を判断することを備える、請求項２６に記載の方法。
【請求項３３】
前記演算を実行することが、通信ビームを選択することを備える、請求項２６に記載の方法。
【請求項３４】
前記演算を実行することが、リンク適応を判断することを備える、請求項２６に記載の方法。
【請求項３５】
前記演算を実行することが、干渉抑圧を判断することを備える、請求項２６に記載の方法。
【請求項３６】
前記演算を実行することが、通信チャネルのためのコーディングを判断することを備える、請求項２６に記載の方法。
【請求項３７】
命令をその上に有する非一時的有形コンピュータ可読媒体を備える、量子化品質フィードバックを送るためのコンピュータプログラム製品であって、前記命令が、
ワイヤレス通信デバイスに信号を受信させるためのコードと、
前記ワイヤレス通信デバイスに、前記信号に基づいてチャネル推定値を生成させるためのコードと、
前記ワイヤレス通信デバイスに、前記チャネル推定値に基づいて量子化品質フィードバックを生成させるためのコードと、
前記ワイヤレス通信デバイスに前記量子化品質フィードバックを送信させるためのコードと
を備える、コンピュータプログラム製品。
【請求項３８】
前記量子化品質フィードバックがスカラー値を備える、請求項３７に記載のコンピュータプログラム製品。
【請求項３９】
前記命令が、前記ワイヤレス通信デバイスに前記量子化品質フィードバックを量子化させるためのコードをさらに備える、請求項３７に記載のコンピュータプログラム製品。
【請求項４０】
命令をその上に有する非一時的有形コンピュータ可読媒体を備える、量子化品質フィードバックを受信するためのコンピュータプログラム製品であって、前記命令が、
基地局に信号を送らせるためのコードと、
前記基地局に量子化品質フィードバックを受信させるためのコードと、
前記基地局に、前記量子化品質フィードバックに基づいて演算を実行させるためのコードと
を備える、コンピュータプログラム製品。
【請求項４１】
前記量子化品質フィードバックがスカラー値を備える、請求項４０に記載のコンピュータプログラム製品。
【請求項４２】
前記基地局に前記演算を実行させるための前記コードが、前記基地局に通信レートを判断させるためのコードを備える、請求項４０に記載のコンピュータプログラム製品。
【請求項４３】
前記基地局に前記演算を実行させるための前記コードが、前記基地局に通信をスケジュールさせるためのコードを備える、請求項４０に記載のコンピュータプログラム製品。
【請求項４４】
量子化品質フィードバックを送るための装置であって、
信号を受信するための手段と、
前記信号に基づいてチャネル推定値を生成するための手段と、
前記チャネル推定値に基づいて量子化品質フィードバックを生成するための手段と、
前記量子化品質フィードバックを送信するための手段と
を備える、装置。
【請求項４５】
前記量子化品質フィードバックがスカラー値を備える、請求項４４に記載の装置。
【請求項４６】
前記量子化品質フィードバックを量子化するための手段をさらに備える、請求項４４に記載の装置。
【請求項４７】
量子化品質フィードバックを受信するための装置であって、
信号を送るための手段と、
量子化品質フィードバックを受信するための手段と、
前記量子化品質フィードバックに基づいて演算を実行するための手段と
を備える、装置。
【請求項４８】
前記量子化品質フィードバックがスカラー値を備える、請求項４７に記載の装置。
【請求項４９】
前記演算を実行するための前記手段が、通信レートを判断するための手段を備える、請求項４７に記載の装置。
【請求項５０】
前記演算を実行するための前記手段が、通信をスケジュールするための手段を備える、請求項４７に記載の装置。
【発明の詳細な説明】
【技術分野】
【０００１】
関連出願
[0001]本出願は、本出願の譲受人に譲渡され、参照により本明細書に明確に組み込まれる、「QUANTIZATION ERROR FEEDBACK FOR ENHANCED SCHEDULING AND RATE PREDICTION PERFORMANCE」と題する２０１１年９月８日に出願された米国仮特許出願第６１／５３２，２１９号に関し、その優先権を主張する。
【０００２】
[0002]本開示は、一般に通信システムに関する。より詳細には、本開示は、量子化品質フィードバックを送信および受信することに関する。
【背景技術】
【０００３】
[0003]通信システムは、データ、ボイス、ビデオなど、様々なタイプの通信コンテンツを提供するために広く展開されている。これらのシステムは、１つまたは複数の他の通信デバイス（たとえば、基地局、アクセスポイントなど）との複数の通信デバイス（たとえば、ワイヤレス通信デバイス、アクセス端末など）の同時通信をサポートすることが可能な多元接続システムであり得る。いくつかの通信デバイス（たとえば、アクセス端末、ラップトップコンピュータ、スマートフォン、メディアプレーヤ、ゲームデバイスなど）は他の通信デバイスとワイヤレス通信し得る。
【０００４】
[0004]最近の数十年で、ワイヤレス通信デバイスの使用は一般的になった。特に、電子技術の進歩は、ますます複雑で有用になるワイヤレス通信デバイスのコストを低減した。コスト低減および消費者需要により、ワイヤレス通信デバイスが現代社会において事実上ユビキタスであるほどワイヤレス通信デバイスの使用が激増した。ワイヤレス通信デバイスの使用が拡大するにつれて、ワイヤレス通信デバイスの新しい改善された特徴に対する需要も拡大した。
【０００５】
[0005]通信性能を改善することは多くの課題を生じる。たとえば、通信性能はチャネルフィードバックに依存し得る。しかしながら、限られた量のオーバーヘッドシグナリングを用いてチャネルフィードバックを改善することは困難であり得る。この説明からわかるように、チャネルフィードバックを改善するシステムおよび方法が有益であり得る。
【発明の概要】
【０００６】
[0006]量子化品質フィードバックを送るためのワイヤレス通信デバイスについて説明する。ワイヤレス通信デバイスは、信号を受信する受信機を含む。ワイヤレス通信デバイスはまた、受信機に結合されたチャネル推定回路を含む。チャネル推定回路は、信号に基づいてチャネル推定値を生成する。ワイヤレス通信デバイスはまた、チャネル推定回路に結合されたフィードバック判断回路を含む。フィードバック判断回路は、チャネル推定値に基づいて量子化品質フィードバックを生成する。ワイヤレス通信デバイスはまた、フィードバック判断回路に結合された送信機を含む。送信機は量子化品質フィードバックを送信する。フィードバック判断回路はまた、量子化品質フィードバックを量子化し得る。
【０００７】
[0007]量子化品質フィードバックはスカラー値を含み得る。量子化品質フィードバックは、量子化品質を測定するメトリックを含み得る。量子化品質フィードバックは、推定フィードバックと量子化フィードバックとに基づいて生成され得る。量子化品質フィードバックは、１つまたは複数の推定固有方向（estimated eigen-direction）と１つまたは複数の量子化固有方向（quantized eigen-direction）とに基づいて生成され得る。フィードバック判断回路は、コードブックに基づいて１つまたは複数の推定固有方向を量子化し得る。
【０００８】
[0008]また、量子化品質フィードバックを受信するための基地局について説明する。基地局は、信号を送る送信機を含み得る。基地局はまた、量子化品質フィードバックを受信する受信機を含む。基地局は、受信機に結合された演算回路をさらに含む。演算回路は、量子化品質フィードバックに基づいて演算を実行する。演算を実行することは、量子化品質フィードバックに基づいて情報を外挿すること、通信レートを判断すること、通信チャネルのための変調を判断すること、通信ビームを選択すること、リンク適応を判断すること、干渉抑圧を判断すること、通信チャネルのためのコーディングを判断すること、および／または通信をスケジュールすることを含み得る。通信をスケジュールすることは、ワイヤレス通信デバイスグルーピングを判断することを含み得る。量子化品質フィードバックはスカラー値を含み得る。
【０００９】
[0009]また、ワイヤレス通信デバイスによって量子化品質フィードバックを送るための方法について説明する。本方法は、信号を受信することを含む。本方法はまた、信号に基づいてチャネル推定値を生成することを含む。本方法は、チャネル推定値に基づいて量子化品質フィードバックを生成することをさらに含む。本方法はまた、量子化品質フィードバックを送信することを含む。
【００１０】
[0010]また、基地局によって量子化品質フィードバックを受信するための方法について説明する。本方法は、信号を送ることを含む。本方法はまた、量子化品質フィードバックを受信することを含む。本方法は、量子化品質フィードバックに基づいて演算を実行することをさらに含む。
【００１１】
[0011]また、量子化品質フィードバックを送るためのコンピュータプログラム製品について説明する。本コンピュータプログラム製品は、命令をもつ非一時的有形コンピュータ可読媒体を含む。命令は、ワイヤレス通信デバイスに信号を受信させるためのコードを含む。命令はまた、ワイヤレス通信デバイスに、信号に基づいてチャネル推定値を生成させるためのコードを含む。命令は、ワイヤレス通信デバイスに、チャネル推定値に基づいて量子化品質フィードバックを生成させるためのコードをさらに含む。命令は、ワイヤレス通信デバイスに量子化品質フィードバックを送信させるためのコードをさらに含む。
【００１２】
[0012]また、量子化品質フィードバックを受信するためのコンピュータプログラム製品について説明する。本コンピュータプログラム製品は、命令をもつ非一時的有形コンピュータ可読媒体を含む。命令は、基地局に信号を送らせるためのコードを含む。命令はまた、基地局に量子化品質フィードバックを受信させるためのコードを含む。命令は、基地局に、量子化品質フィードバックに基づいて演算を実行させるためのコードをさらに含む。
【００１３】
[0013]また、量子化品質フィードバックを送るための装置について説明する。本装置は、信号を受信するための手段を含む。本装置はまた、信号に基づいてチャネル推定値を生成するための手段を含む。本装置は、チャネル推定値に基づいて量子化品質フィードバックを生成するための手段をさらに含む。本装置は、量子化品質フィードバックを送信するための手段をさらに含む。
【００１４】
[0014]また、量子化品質フィードバックを受信するための装置について説明する。本装置は、信号を送るための手段を含む。本装置はまた、量子化品質フィードバックを受信するための手段を含む。本装置は、量子化品質フィードバックに基づいて演算を実行するための手段をさらに含む。
【図面の簡単な説明】
【００１５】
【図１】[0015]量子化品質フィードバックを送信および受信するためのシステムおよび方法が実装され得る、基地局と１つまたは複数のワイヤレス通信デバイスとの一構成を示すブロック図。
【図２】[0016]ワイヤレス通信デバイスによって量子化品質フィードバックを送るための方法の一構成を示す流れ図。
【図３】[0017]基地局によって量子化品質フィードバックを受信するための方法の一構成を示す流れ図。
【図４】[0018]ワイヤレス通信デバイスによって量子化品質フィードバックを送るための方法の別の構成を示す流れ図。
【図５】[0019]量子化品質フィードバックを送るために使用され得、本明細書で開示するシステムおよび方法に従って使用され得るユーザ機器（ＵＥ）の一構成を示すブロック図。
【図６】[0020]ユーザ機器によって量子化品質フィードバックを送るための方法の一構成を示す流れ図。
【図７】[0021]量子化品質フィードバックを送るために使用され得、本明細書で開示するシステムおよび方法に従って使用され得るユーザ機器の別の構成を示すブロック図。
【図８】[0022]ユーザ機器によって量子化品質フィードバックを送るための方法の別の構成を示す流れ図。
【図９】[0023]量子化品質フィードバックを受信するために使用され得、本明細書で開示するシステムおよび方法に従って使用され得る発展型ノードＢ（ｅＮＢ：evolved Node B）の一構成を示すブロック図。
【図１０】[0024]発展型ノードＢによって量子化品質フィードバックを受信するための方法の一構成を示す流れ図。
【図１１】[0025]発展型ノードＢおよびユーザ機器によって量子化品質フィードバックを送信および受信するための方法の一例を示すスレッド図。
【図１２】[0026]多入力多出力（ＭＩＭＯ：multiple input and multiple output）システムにおいて使用され得、本明細書で開示するシステムおよび方法に従って使用され得る基地局のブロック図。
【図１３】[0027]基地局内に含まれ得るいくつかの構成要素を示す図。
【図１４】[0028]ワイヤレス通信デバイス内に含まれ得るいくつかの構成要素を示す図。
【発明を実施するための形態】
【００１６】
[0029]通信デバイスの例としては、セルラー電話基地局またはノード、アクセスポイント、ワイヤレスゲートウェイおよびワイヤレスルータがある。通信デバイスは、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）Ｌｏｎｇ  Ｔｅｒｍ  Ｅｖｏｌｕｔｉｏｎ（ＬＴＥ）規格など、いくつかの業界規格に従って動作し得る。通信デバイスが準拠し得る規格の他の例としては、米国電気電子技術者協会（ＩＥＥＥ）８０２．１１ａ、８０２．１１ｂ、８０２．１１ｇ、８０２．１１ｎおよび／または８０２．１１ａｃ（たとえば、ワイヤレスフィデリティーまたは「Ｗｉ−Ｆｉ（登録商標）」）規格、ＩＥＥＥ８０２．１６（たとえば、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓまたは「ＷｉＭＡＸ（登録商標）」）規格などがある。いくつかの規格では、通信デバイスは、ノードＢ、発展型ノードＢなどと呼ばれることがある。本明細書で開示するシステムおよび方法のいくつかについて１つまたは複数の規格に関して説明することがあるが、これは、それらのシステムおよび方法が多くのシステムおよび／または規格に適用可能であり得るので、本開示の範囲を限定すべきではない。
【００１７】
[0030]いくつかの通信デバイス（たとえば、アクセス端末、クライアントデバイス、クライアント局など）は他の通信デバイスとワイヤレス通信し得る。いくつかの通信デバイス（たとえば、ワイヤレス通信デバイス）は、モバイルデバイス、移動局、加入者局、クライアント、クライアント局、ユーザ機器（ＵＥ）、リモート局、アクセス端末、モバイル端末、端末、ユーザ端末、加入者ユニットなどと呼ばれることがある。通信デバイスのさらなる例としては、ラップトップまたはデスクトップコンピュータ、セルラー電話、スマートフォン、ワイヤレスモデム、電子リーダー、タブレットデバイス、ゲームシステムなどがある。これらの通信デバイスのうちのいくつかは、上記で説明したように１つまたは複数の業界規格に従って動作し得る。したがって、「通信デバイス」という一般的な用語は、業界規格に応じて異なる名称で説明される通信デバイス（たとえば、アクセス端末、ユーザ機器、リモート端末、アクセスポイント、基地局、ノードＢ、発展型ノードＢなど）を含み得る。
【００１８】
[0031]いくつかの通信デバイスは、通信ネットワークへのアクセスを行うことが可能であり得る。通信ネットワークの例としては、限定はしないが、電話網（たとえば、公衆交換電話網（ＰＳＴＮ）などの「固定（land-line）」ネットワークまたはセルラーフォンネットワーク）、インターネット、ローカルエリアネットワーク（ＬＡＮ）、ワイドエリアネットワーク（ＷＡＮ）、メトロポリタンエリアネットワーク（ＭＡＮ）などがある。
【００１９】
[0032]フィードバック強化は、Ｌｏｎｇ  Ｔｅｒｍ  Ｅｖｏｌｕｔｉｏｎ−Ａｄｖａｎｃｅｄ（ＬＴＥ−Ａ）の重要な態様である。特にマルチユーザ多入力多出力（ＭＵ−ＭＩＭＯ）および多地点協調（ＣｏＭＰ：cooperative multi-point）のためのフィードバック性能をどのように改善するかに関する多数の技法が提案されている。内部および外部研究の結果は、（マルチユーザ多入力多出力および多地点協調における干渉を抑制するためになど）特にネットワーク側で送信干渉ヌリング行為を実行するときに、改善されたフィードバックがビーム選択およびリンク適応に著しい影響を及ぼし得ることを示している。
【００２０】
[0033]チャネル状態情報（ＣＳＩ）フィードバックの設計は、基本的に、性能とアップリンクフィードバックオーバーヘッドとの間のバランスをとる必要がある。ＬＴＥ  Ｒｅｌｅａｓｅ  １０のコンテキストでは、４つの送信アンテナ（たとえば、４Ｔｘ）について４ビットのかなり低いフィードバックグラニュラリティが同意されている。これはシングルユーザ多入力多出力（ＳＵ−ＭＩＭＯ）動作のためには十分であるが、マルチユーザ多入力多出力または多地点協調においてなど、送信干渉ヌリングを実行するネットワークの能力に著しい影響を及ぼす。
【００２１】
[0034]ビーム選択プロセスの他に、チャネル状態情報不確実性も、発展型ノードＢにおけるレート予測性能に影響を及ぼし、リンク適応に悪影響を及ぼす。詳細には、発展型ノードＢがそれのビーム選択を条件として外挿する推定スペクトル効率は、より大きい程度の不確実性を含んでいることがあり、したがって、送信のための適切なパケットフォーマットと変調方式との選択が複雑になり得る。
【００２２】
[0035]本明細書で開示するシステムおよび方法は、ワイヤレス通信デバイス（たとえば、ユーザ機器）と基地局（たとえば、発展型ノードＢ）との間の通信を改善するのを助け得る。たとえば、本明細書で開示するシステムおよび方法は、量子化品質フィードバックを与えることによってネットワーク側でスケジューリングとレート予測とを改善し得る。たとえば、ユーザ機器は発展型ノードＢに量子化品質メトリックを送り得る。そうすることによって、ネットワークは、チャネル状態情報不確実性をスケジューリングおよび／またはレート予測プロシージャの考慮に入れ、したがって性能を改善することができる。
【００２３】
[0036]一構成では、本明細書のシステムおよび方法は、ユーザ機器のチャネル状態情報フィードバックの一部として量子化品質をキャプチャするメトリックをフィードバックすることによってスケジューリングとレート予測とを改善することを記述する。この概念は、限定はしないが、暗黙的プリコーディング行列インジケータ（precoding matrix indicator）／チャネル品質インジケータ（channel quality indicator）／ランクインジケータ（rank indicator）（ＰＭＩ／ＣＱＩ／ＲＩ）フィードバックおよび／または支配的固有方向の明示的フィードバックを含む、様々なフィードバックフレームワークに適用され得る。
【００２４】
[0037]たとえば、明示的フィードバックフレームワークでは、上述の量子化品質メトリックは以下のように定義され得る。最初に、ユーザ機器は、それのチャネル推定値の特異値分解（ＳＶＤ：singular value decomposition）を実行することによって支配的固有方向を計算する。ｉ番目の支配的固有方向（すなわち、チャネル行列のｉ番目の右特異ベクトル）はｖiによって示され得る。明示的フィードバックパラダイムの一部として、ユーザ機器は、一般に、所与のコードブックによって、たとえば、式（１）に示すメトリック
【数１】
2014526828.tif 000003
【００２５】
を最大にするコードブックエントリｊを見つけることによってｖiを量子化するであろう。
【数２】
2014526828.tif 000004
【００２６】
[0038]式（１）において、
【数３】
2014526828.tif 000005
【００２７】
はコードブック中のｊ番目のエントリに対応する。一般に、選択されたコードブックエントリｊのインデックスのみがフィードバックされる。対照的に、本明細書で開示するシステムおよび方法の一構成は、ネットワークが、量子化の後にチャネル状態情報報告の品質または忠実度を測定することができるように、上記のメトリックＤ自体の量子化バージョンをフィードバックすることを記述する。上記のように、式（１）は、推定（たとえば、「真の」）固有方向が、量子化固有方向と比較してどのくらい類似するかまたは異なるかを反映するメトリックを与える。たとえば、Ｄは、０〜１の範囲にあり得、０は、２つのベクトルが直交することを示し、１は、２つのベクトルが（たとえば、場合によっては、何らかのスケーリングファクタは別として）同じであることを示す。式（１）のメトリックＤは一例として与えられることに留意されたい。量子化品質の影響を表すために、他のメトリックが同様に使用され得る。いくつかの構成では、たとえば、フィードバックの一部として複数の固有方向が考慮されるとき、複数の量子化品質フィードバック報告が送られ得る。
【００２８】
[0039]上記の例は、明示的フィードバックに限定されず、暗黙的フィードバックフレームワークでも行われ得る。この拡張は、ランク１の場合には簡単である。より高いランクの場合、それぞれのプリコーディング行列の列が使用され得る。潜在的に、量子化品質フィードバックはまた、この場合、支配的レイヤに制限され得る。
【００２９】
[0040]チャネル状態インジケータフィードバック量子化の忠実度をキャプチャするために使用され得る別のメトリックは、異なるプリコーディング行列インジケータ仮定の下で生成されるチャネル品質インジケータである。たとえば、プリコーディング行列インジケータ／チャネル品質インジケータ／ランクインジケータフィードバックフレームワークでは、すべてのプリコーディング行列インジケータ仮定の下でユーザ機器能力を評価することが一般的である。そうした後に、予期された能力に対応する計算されたチャネル品質インジケータとともに、最良のプリコーディング行列インジケータがフィードバックされる。このフレームワークでは、（たとえば、Ｍ個の最良のプリコーディング行列インジケータを考慮して）異なるプリコーディング行列インジケータ仮定の下でチャネル品質インジケータを比較することによってプリコーディング行列インジケータ量子化誤差を査定することがより好都合であり得る。ある場合には、たとえば、最良のプリコーディング行列インジケータの性能と次善のプリコーディング行列インジケータの性能とがどのくらい近いかの指示を与えるために、これらのプリコーディング行列インジケータの比がフィードバックされ得る。この場合も、この最後の例は説明のために使用されることに留意されたい。他のメトリックが、量子化品質フィードバックを表すために同じく使用され得、実装形態固有の考慮事項など、他のファクタにより、好ましいことがある。
【００３０】
[0041]量子化品質フィードバックのいくつかの潜在的な適用例を以下で与える。レート予測および関連するスケジューリング強化は量子化品質フィードバックの重要な適用例である。詳細には、発展型ノードＢが、ユーザ機器によって生成されたプリコーディング行列インジケータ／チャネル品質インジケータ／ランクインジケータフィードバックに直接に従わないときはいつでも、ユーザ機器のチャネル品質インジケータフィードバックが外挿される必要があり得る。これは、たとえば、（マルチユーザ多入力多出力システムにおいてなど）ネットワーク側で送信干渉ヌリングを適用するときに行われ得る。追加または代替として、チャネル品質インジケータフィードバックは、（多地点協調においてなど）分散アンテナシステムにおいて同じリソース上でユーザ機器を共同スケジュールするときに外挿され得る。そのような場合、（たとえば、複数のユーザ機器を共同スケジュールすることによる追加の干渉により）プリコーディング行列インジケータおよびチャネル品質インジケータの量子化は、ユーザ機器での予期される性能をネットワーク側で正確に予測することを困難にし得る。
【００３１】
[0042]複数のユーザ機器を共同スケジュールするという仮定の下でネットワーク側でチャネル品質インジケータを外挿するために、ネットワークはフィードバックされた固有方向の知識を使用し得る。しかしながら、粗い量子化の場合、多くの異なるチャネル実現が同じチャネル方向フィードバックを生じ得るので、この外挿は極めて不正確になり得る。したがって、量子化品質フィードバックは、量子化の品質または忠実度をキャプチャし、それに関連し得る不確実性をキャプチャする、サイドメトリックと見なされるべきである。相応して、ネットワークは、したがって、外挿されたチャネル品質インジケータ値がどのくらい正確であるとネットワークが期待することができるかを知っており、それに応じて変調およびコーディング方式（ＭＣＳ）選択を実行する。一構成では、たとえば、ネットワークは、フィードバックされた量子化品質メトリックが低い（したがって、比較的良好な量子化を示す）ときはいつでも、変調およびコーディング方式選択をより積極的に実行し、量子化誤差メトリックが大きい（比較的不十分な量子化を示す）場合は、より控えめに実行し得る。
【００３２】
[0043]上記で説明したようにレート予測を改善することに加えて、量子化品質フィードバックはまた、ユーザ機器グルーピングを改善することによってスケジューリング性能を改善するのを助け得る。たとえば、不十分な量子化性能を現在経験しているユーザ機器に優先して、良好な量子化品質フィードバックをもつユーザ機器をスケジュールすることが好ましいことがある。同様に、量子化誤差にあまり敏感でない送信方式（たとえば、シングルユーザ多入力多出力送信）が、比較的不十分な量子化品質フィードバックをもつユーザ機器のために選択され得る。
【００３３】
[0044]量子化品質フィードバックの提案は、マルチユーザ多入力多出力のためのレート予測性能を改善するのを同じく助けるマルチユーザチャネル品質インジケータ（ＭＵ−ＣＱＩ）フィードバックといくつかの概念上の類似点を共有する。しかしながら、特に、量子化品質フィードバックは、共同スケジュールされたプリコーディング行列インジケータに関する仮定を行う必要がないので、量子化品質フィードバックの概念はより一般的であることを指摘することが重要である。（マルチユーザチャネル品質インジケータを計算する目的で）適切なマルチユーザチャネル品質インジケータペアリングテーブルを見つけることが困難である、より細かいコードブックが考慮されるとき、これは重要になる。
【００３４】
[0045]次に、図を参照しながら様々な構成について説明する。同様の参照番号は機能的に同様の要素を示し得る。本明細書で概して説明し、図に示すシステムおよび方法は、多種多様な異なる構成で構成および設計され得る。したがって、図に表されるいくつかの構成についての以下のより詳細な説明は、請求する範囲を限定するものではなく、システムおよび方法を代表するものにすぎない。図に示される１つまたは複数の特徴および／または要素は、１つまたは複数の他の図に示される１つまたは複数の特徴および／または要素と組み合わせられ得ることに留意されたい。
【００３５】
[0046]図１は、量子化品質フィードバック１１０を送信および受信するためのシステムおよび方法が実装され得る、基地局１０２と１つまたは複数のワイヤレス通信デバイス１１６との一構成を示すブロック図である。基地局１０２の例としては、セルラーフォン基地局、アクセスポイントなどがある。（１つまたは複数の）ワイヤレス通信デバイス１１６の例としては、ユーザ機器、アクセス端末、局などがある。
【００３６】
[0047]基地局１０２は、送信機１０４、受信機１０６、１つまたは複数のアンテナ１０８ａ〜ｎおよび／または演算ブロック／モジュール１１２を含み得る。本明細書で使用する「ブロック／モジュール」という用語は、特定の要素がハードウェア、ソフトウェア、ファームウェアまたはそれらの組合せで実装され得ることを示し得る。たとえば、演算ブロック／モジュール１１２は、ハードウェア（たとえば、回路）、ソフトウェアまたはその両方の組合せで実装され得る。また、図１に示された要素のうちの１つまたは複数は、いくつかの構成では回路（たとえば、集積回路）で実装され得ることに留意されたい。
【００３７】
[0048]送信機１０４は、信号をフォーマットし、送信するために使用される１つまたは複数の要素を含み得る。たとえば、送信機１０４は、変調器、エンコーダ、アップコンバータ、電力増幅器などを含み得る。便宜上、図１では、基地局１０２中にただ１つの送信機１０４を示す。ただし、いくつかの構成では、複数の送信機１０４（たとえば、複数の送信経路）が基地局１０２中に実装され得る。受信機１０６は、信号を受信し、デフォーマットするために使用される１つまたは複数の要素を含み得る。たとえば、受信機１０６は、復調器、デコーダ、ダウンコンバータ、低雑音増幅器などを含み得る。便宜上、図１では、基地局１０２中にただ１つの受信機１０６を示す。ただし、いくつかの構成では、複数の受信機１０６（たとえば、複数の受信経路）が基地局１０２中に実装され得る。受信機１０６は量子化品質フィードバック１１０ａを演算ブロック／モジュール１１２に与え得る。演算ブロック／モジュール１１２は、量子化品質フィードバック１１０ａに基づいて１つまたは複数の演算を実行し得る。場合によっては、演算ブロック／モジュール１１２は制御情報１１４を送信機１０４に与え得る。送信機１０４は、次いで、制御情報１１４を１つまたは複数のワイヤレス通信デバイス１１６に送信し得る。
【００３８】
[0049]ワイヤレス通信デバイス１１６は、送信機１２０、受信機１１８、１つまたは複数のアンテナ１２２ａ〜ｎ、チャネル推定ブロック／モジュール１２８および／またはフィードバック判断ブロック／モジュール１３２を含み得る。送信機１２０は、信号をフォーマットし、送信するために使用される１つまたは複数の要素を含み得る。たとえば、送信機１２０は、変調器、エンコーダ、アップコンバータ、電力増幅器などを含み得る。便宜上、図１では、ワイヤレス通信デバイス１１６中にただ１つの送信機１２０を示す。ただし、いくつかの構成では、複数の送信機１２０（たとえば、複数の送信経路）がワイヤレス通信デバイス１１６中に実装され得る。受信機１１８は、信号を受信し、デフォーマットするために使用される１つまたは複数の要素を含み得る。たとえば、受信機１１８は、復調器、デコーダ、ダウンコンバータ、低雑音増幅器などを含み得る。便宜上、図１では、ワイヤレス通信デバイス１１６中にただ１つの受信機１１８を示す。ただし、いくつかの構成では、複数の受信機１１８（たとえば、複数の受信経路）がワイヤレス通信デバイス１１６中に実装され得る。基地局１０２は、リンク１３４を介してワイヤレス通信デバイス１１６と通信し得る。いくつかの例では、リンク１３４は、基地局１０２が１つまたは複数のワイヤレス通信デバイス１１６とワイヤレス通信することを可能にするワイヤレスリンクであり得る。
【００３９】
[0050]基地局１０２は、チャネル推定のために１つまたは複数のワイヤレス通信デバイス１１６に信号１２６を送信し得る。たとえば、基地局１０２は、チャネル推定において使用され得る信号１２６を送信し得る。いくつかの例では、信号１２６はワイヤレス通信信号であり得る。ワイヤレス通信デバイス１１６の受信機１１８は、信号１２６を受信し、チャネル推定のために信号１２６をチャネル推定ブロック／モジュール１２８に与え得る。チャネル推定ブロック／モジュール１２８は、信号１２６に基づいてチャネル推定値１３０を生成し得る。チャネル推定値１３０は、受信した信号１２６の１つまたは複数のチャネル特性の測定値を含み得る。たとえば、チャネル推定値１３０は、信号１２６が、基地局１０２の送信機１０４からワイヤレス通信デバイス１１６の受信機１１８にどのように伝搬するかを示し得る。チャネル推定値１３０中に含まれ得る測定値の例としては、限定はしないが、チャネル利得、フェージング分布、信号強度、散乱、位相シフト、周波数オフセット、指向性および電力減衰がある。チャネル推定ブロック／モジュール１２８はチャネル推定値１３０をフィードバック判断ブロック／モジュール１３２に与え得る。
【００４０】
[0051]チャネル推定値１３０に基づいて、フィードバック判断ブロック／モジュール１３２は量子化フィードバック１２４を生成し得る。量子化フィードバック１２４の例としては、量子化ベクトル（たとえば、固有方向）、（たとえば、ベクトルのセットを指定する）コードブックエントリインジケータ、量子化プリコーディング行列、プリコーディング行列インジケータ、チャネル品質インジケータ、ランクインジケータなどがある。
【００４１】
[0052]いくつかの実装形態では、量子化フィードバック１２４は明示的フィードバックに基づき得る。たとえば、フィードバック判断ブロック／モジュール１３２は、たとえば、チャネル推定値１３０の特異値分解を実行することによって１つまたは複数の固有方向を計算し得る。フィードバック判断ブロック／モジュール１３２は、次いで、１つまたは複数の固有方向を量子化することによって量子化フィードバック１２４を生成し得る。いくつかの構成では、フィードバック判断ブロック／モジュール１３２は、コードブックを使用して１つまたは複数の固有方向を量子化し得る。
【００４２】
[0053]代替または追加として、量子化フィードバック１２４は暗黙的フィードバックを含み得る。たとえば、フィードバック判断ブロック／モジュール１３２は、１つまたは複数のプリコーディング行列インジケータ仮定の下でワイヤレス通信デバイス１１６通信能力を評価し得る。フィードバック判断ブロック／モジュール１３２は、所与のプリコーディング行列インジケータ仮定についての通信の品質を示す１つまたは複数のチャネル品質インジケータを生成し得る。この例では、量子化フィードバック１２４は、１つまたは複数のプリコーディング行列および／または１つまたは複数のチャネル品質インジケータを含み得る。いくつかの構成では、１つまたは複数のプリコーディング行列は異なる送信ランクに対応し得る。
【００４３】
[0054]いくつかの構成では、フィードバック判断ブロック／モジュール１３２は、量子化の品質を示すメトリックに基づいて量子化フィードバック１２４を生成し得る。たとえば、ワイヤレス通信デバイス１１６は、量子化の品質を示すメトリック（たとえば、式（１）に示されたメトリックＤ）を生成し得る。いくつかの構成では、フィードバック判断ブロック／モジュール１３２は、（たとえば、セット中の最も高いメトリックに対応するフィードバックを選択することによって）メトリックを最大にするために量子化フィードバック１２４（たとえば、１つまたは複数の量子化固有方向）を生成し得る。
【００４４】
[0055]いくつかの実装形態では、フィードバック判断ブロック／モジュール１３２は、量子化フィードバック１２４の複数のインスタンスを生成し得る。たとえば、複数の固有方向が計算された場合、フィードバック判断ブロック／モジュール１３２は、複数の固有方向に対応する量子化フィードバック１２４の複数のインスタンスを生成し得る。
【００４５】
[0056]フィードバック判断ブロック／モジュール１３２は量子化品質フィードバック１１０ｂを生成し得る。量子化品質フィードバック１１０ｂは量子化フィードバック１２４の品質の測度を含み得る。たとえば、量子化品質フィードバック１１０ｂは、量子化フィードバック１２４の不確実性、信頼性および／または精度のレベルを示し得る。たとえば、上記で説明したように、基地局１０２の演算ブロック／モジュール１１２は、量子化フィードバック１２４に基づいて１つまたは複数の演算を実行し得る。この例では、量子化品質フィードバック１１０ｂは、受信された量子化フィードバック１２４の信頼性を通信し得る。この情報に基づいて、基地局１０２は１つまたは複数の演算を実行し得る。
【００４６】
[0057]いくつかの例では、量子化品質フィードバック１１０ｂは、推定フィードバック（たとえば、チャネル推定値に基づく固有方向）と量子化フィードバック１２４（たとえば、量子化固有方向）とに基づき得る。この例では、量子化品質フィードバック１１０ｂは、推定フィードバックと量子化フィードバックとの間の関係を反映し得る。
【００４７】
[0058]本明細書で開示するシステムおよび方法によれば、量子化品質フィードバック１１０ｂを生成するために、いくつかの手法が使用され得る。たとえば、フィードバック判断ブロック／モジュール１３２は、明示的フィードバックの場合に使用するメトリックを生成し得る。一構成では、量子化フィードバック１２４は、ベクトル（たとえば、固有方向）のセット、ならびに／あるいはベクトルのセットを示すコードブックエントリまたはインデックスを備え得る。たとえば、量子化フィードバック１２４は、上記で説明したように
【数４】
2014526828.tif 000006
【００４８】
および／またはｊであり得る。フィードバック判断ブロック／モジュール１３２は、（たとえば、
【数５】
2014526828.tif 000007
【００４９】
およびｖiに基づいて）量子化品質を示すメトリックを生成し得る。たとえば、フィードバック判断ブロック／モジュール１３２は、量子化フィードバック１２４（たとえば、量子化固有方向）の品質を示す、式（１）に示されたメトリックＤを生成し得る。この例では、量子化フィードバック１２４（たとえば、ベクトルのセット、ならびに／あるいはベクトルのセットを示すコードブックエントリまたはインデックス）が基地局１０２に送信され得る。追加または代替として、量子化品質フィードバック１１０ｂとしてメトリックＤが基地局１０２に送信され得る。
【００５０】
[0059]別の例では、量子化品質フィードバック１１０ｂは、暗黙的フィードバックの場合に使用するメトリックを含み得る。メトリックは１つまたは複数の仮定的性能値に基づき得る。たとえば、量子化フィードバック１２４は、１つまたは複数の量子化プリコーディング行列、ならびに／あるいは１つまたは複数の量子化プリコーディング行列を示すインデックスまたは値を備え得る。ワイヤレス通信デバイス１１６は、プリコーディング行列に対応する１つまたは複数の仮定的性能値（たとえば、チャネル品質インジケータ）を生成し得る。ワイヤレス通信デバイス１１６は、たとえば、仮定的性能値をランク付けすることによって、１つまたは複数のプリコーディング行列についての仮定的性能値を比較し得る。一例では、対応する仮定的性能値によって示される最良のプリコーディング行列インジケータと次善のプリコーディング行列インジケータとの比が量子化品質フィードバック１１０ｂとして送信され得る。追加または代替として、最良および次善のプリコーディング行列インジケータに対応する２つの仮定的性能値の比が量子化品質フィードバック１１０ｂとして送信され得る。基地局１０２は、次いで、量子化品質フィードバック１１０ａに基づいて演算を実行し得る。この例では、量子化フィードバック１２４は、１つまたは複数のプリコーディング行列、１つまたは複数のプリコーディング行列のインデックス、および／または１つまたは複数のプリコーディング行列に関連する仮定的性能値であり得る。
【００５１】
[0060]いくつかの構成では、量子化品質フィードバック１１０ｂは、量子化の品質を示すスカラー値であり得る。たとえば、量子化品質フィードバック１１０ｂは、量子化フィードバック１２４の品質を示すスカラー値（たとえば、式（１）のメトリックＤおよびプリコーディング行列インジケータの比）であり得る。
【００５２】
[0061]いくつかの構成では、量子化品質フィードバック１１０ｂは量子化され得る。たとえば、上記の式（１）のメトリックＤが判断され得る。次いで、ワイヤレス通信デバイス１１６はＤを量子化し得、量子化されたＤは量子化品質フィードバック１１０ｂとして送られ得る。１つまたは複数の量子化技法が適用され得る。たとえば、メトリック値に最も近いコードブックエントリが選択され得ること、メトリックが、最も近い整数値に丸められ得ること、メトリックに基づいて離散値のセットから値が選択され得ることなどである。適用された量子化技法の結果が量子化品質フィードバック１１０ｂとして与えられ得る。
【００５３】
[0062]量子化フィードバック１２４および量子化品質フィードバック１１０ｂは、基地局１０２への送信のために送信機１２０に与えられ得る。たとえば、暗黙的または明示的量子化フィードバック１２４、ならびに／あるいは量子化フィードバック１２４に関係する量子化品質フィードバック１１０ｂは送信機１２０に与えられ得、送信機１２０は情報を基地局１０２に送信する。いくつかの例では、量子化フィードバック１２４および／または量子化品質フィードバック１１０ｂは、チャネル状態情報報告の一部として送信機１２０に与えられ得る。
【００５４】
[0063]量子化品質フィードバック１１０ｂの複数のインスタンスが、基地局１０２への送信のために送信機１２０に与えられ得る。たとえば、明示的フィードバックの場合、１つまたは複数の固有方向がチャネル推定値１３０に基づいて計算され得る。これらの１つまたは複数の固有方向はコードブックに基づいて量子化され得る。この例では、量子化品質フィードバック１１０ｂは量子化固有方向ごとに生成され得る。量子化品質フィードバック１１０ｂの複数のインスタンスは、基地局１０２への送信のために送信機１２０に与えられ得る。
【００５５】
[0064]基地局１０２は、受信機１０６を通して量子化フィードバック１２４と量子化品質フィードバック１１０ａとを受信し得る。量子化品質フィードバック１１０ａは演算ブロック／モジュール１１２に与えられ得る。演算ブロック／モジュール１１２は、量子化品質フィードバック１１０ａに基づいて１つまたは複数の演算を実行し得る。たとえば、演算ブロック／モジュール１１２は、量子化品質フィードバック１１０ａに基づいて、ワイヤレス通信デバイス１１６との通信チャネルのための変調およびコーディング方式を判断し得る。演算ブロック／モジュール１１２はワイヤレス通信をスケジュールし得る。スケジューリング演算の例としては、限定はしないが、ワイヤレス通信デバイス１１６グルーピングおよび送信フォーマットの選択がある。
【００５６】
[0065]演算ブロック／モジュール１１２は、量子化品質フィードバック１１０ａに基づいて情報を外挿し得る。たとえば、演算ブロック／モジュール１１２は、送信干渉ヌリングを助けるために、量子化品質フィードバック１１０ａに基づいてチャネル品質インジケータを外挿し得る。
【００５７】
[0066]実行され得る演算の他の例としては、限定はしないが、１つまたは複数のワイヤレス通信デバイス１１６との通信の際に使用する通信レート予測、ビーム選択、リンク適応、干渉査定、干渉抑圧、ヌリング、分散アンテナシステム（たとえば、多地点協調）の共同スケジューリングなどがある。これらの演算のうちの１つまたは複数は、上記で説明したように実行され得る。
【００５８】
[0067]いくつかの構成では、演算ブロック／モジュール１１２は、１つまたは複数のワイヤレス通信デバイス１１６への送信のために、送信機１０４に制御情報１１４を与え得る。制御情報１１４は、基地局１０２にデータを送るために、および／または基地局１０２からデータを受信するために、１つまたは複数のワイヤレス通信デバイス１１６によって使用され得る、変調、コーディング、ワイヤレス通信デバイスグルーピング割当て、スケジューリング、レートなどの通信制御情報を示し得る。
【００５９】
[0068]いくつかの実装形態では、制御情報１１４は量子化品質フィードバック１１０ａに基づき得る。たとえば、演算ブロック／モジュール１１２がワイヤレス通信デバイス１１６から不十分な量子化品質フィードバック１１０ａを受信した場合、演算ブロック／モジュール１１２は、それに応じてリンクを適応させ得る。この例では、リンク適応を反映する制御情報１１４がワイヤレス通信デバイス１１６に送信され得、制御情報１１４は、基地局１０２にデータを送るために、および／または基地局１０２からデータを受信するために、ワイヤレス通信デバイス１１６によって使用され得る。
【００６０】
[0069]図２は、ワイヤレス通信デバイス１１６によって量子化品質フィードバック１１０ｂを送るための方法２００の一構成を示す流れ図である。２０２において、ワイヤレス通信デバイス１１６（たとえば、ユーザ機器）の受信機１１８が信号１２６を受信する。たとえば、チャネル推定のために使用され得る信号１２６が基地局１０２（たとえば、発展型ノードＢ）から受信され得る。信号１２６は、次いで、チャネル推定ブロック／モジュール１２８に与えられ得る。
【００６１】
[0070]２０４において、ワイヤレス通信デバイス１１６は、信号１２６に基づいてチャネル推定値１３０を生成する。たとえば、２０４において、ワイヤレス通信デバイス１１６は、信号１２６の１つまたは複数のチャネル特性の測定値を含み得るチャネル推定値１３０を生成する。測定値の例としては、限定はしないが、チャネル利得、フェージング分布、信号強度、散乱、位相シフト、周波数オフセット、指向性、電力減衰などがある。信号１２６は、次いで、フィードバック判断ブロック／モジュール１３２に与えられ得る。
【００６２】
[0071]２０６において、ワイヤレス通信デバイスは、チャネル推定値に基づいて量子化品質フィードバック１１０ｂを生成する。上記で説明したように、量子化品質フィードバック１１０ｂは、量子化フィードバック１２４の品質（たとえば、不確実性、信頼性、精度および／または忠実度）の測度を含み得る。一構成では、量子化品質フィードバック１１０ｂは、推定フィードバック（たとえば、計算された固有方向）と量子化フィードバック１２４との間の類似度の測度を表し得る。いくつかの構成では、量子化品質フィードバック１１０ｂは、推定フィードバック（たとえば、計算された固有方向）と量子化フィードバック１２４との間の数学的差分（たとえば、減算）ではないことがある。量子化品質フィードバック１１０ｂは、上記で説明したように生成され得る。
【００６３】
[0072]いくつかの構成では、量子化品質フィードバック１１０ｂはチャネル推定値１３０に基づき得る。たとえば、ワイヤレス通信デバイス１１６は、量子化品質フィードバック１１０ｂを生成するために、推定フィードバックと量子化フィードバック１２４とを使用し得る。ワイヤレス通信デバイス１１６は、量子化品質フィードバック１１０ｂを生成するために、推定（たとえば、「真の」）固有方向と量子化固有方向とを使用し得る。この例では、量子化品質フィードバック１１０ｂは、推定固有方向と量子化固有方向との間の関係を反映し得る。別の例では、ワイヤレス通信デバイス１１６は、量子化品質フィードバック１１０ｂを生成するために、推定プリコーディング行列と選択された（たとえば、「量子化」）プリコーディング行列とを使用し得る。
【００６４】
[0073]量子化品質フィードバック１１０ｂは明示的量子化フィードバック１２４に基づき得る。たとえば、量子化フィードバック１２４は、明示的量子化フィードバック１２４（たとえば、１つまたは複数の固有方向、ならびに／あるいは１つまたは複数の固有方向を示すコードブックエントリまたはインデックス）を含み得る。この例では、フィードバック判断ブロック／モジュール１３２は、明示的量子化フィードバック１２４の品質を測定するメトリック（たとえば、式（１）に示されたメトリックＤ）を生成し得る。メトリックは、量子化品質フィードバック１１０ｂとして基地局１０２に送信され得る。
【００６５】
[0074]別の例では、量子化品質フィードバック１１０ｂは暗黙的量子化フィードバック１２４に基づき得る。たとえば、量子化フィードバック１２４は、（たとえば、１つまたは複数のプリコーディング行列を識別する１つまたは複数のプリコーディング行列インジケータに対応する）暗黙的量子化フィードバック１２４を含み得る。フィードバック判断ブロック／モジュール１３２は、１つまたは複数のプリコーディング行列に対応する仮定的性能値（たとえば、チャネル品質インジケータ）を生成し、比較し得る。この例では、フィードバック判断ブロック／モジュール１３２は、比較された仮定的性能値に対応するプリコーディング行列インジケータの比および／または仮定的性能値の比を量子化品質フィードバック１１０ｂとして基地局１０２に送信し得る。
【００６６】
[0075]追加または代替として、ワイヤレス通信デバイス１１６は、量子化品質フィードバック１１０ｂとしてメトリックを送信し得る。いくつかの例では、メトリックは、量子化フィードバック１２４の品質を示すスカラー値であり得る。たとえば、ワイヤレス通信デバイス１１６は、量子化フィードバック１２４（たとえば、１つまたは複数の固有方向）の量子化の品質を測定するメトリック（たとえば、式（１）に示されたメトリックＤ、またはＤの量子化バージョン）を送り得る。別の例では、ワイヤレス通信デバイス１１６は、１つまたは複数のプリコーディング行列インジケータの仮定的性能に対応する比を送り得る。追加または代替として、２０６において量子化品質フィードバック１１０ｂを生成することは、量子化品質フィードバック１１０ｂを量子化することを含み得る。たとえば、フィードバック判断ブロック／モジュール１３２は、メトリックを量子化し、それを基地局１０２への送信のために送信機１２０に与え得る。
【００６７】
[0076]２０８において、ワイヤレス通信デバイス１１６は量子化品質フィードバック１１０ｂを送信する。たとえば、２０８において、ワイヤレス通信デバイス１１６（たとえば、ユーザ機器）の送信機１２０は、量子化フィードバック１２４に関連する量子化品質フィードバック１１０ｂを基地局１０２（たとえば、発展型ノードＢ）に送信する。いくつかの例では、ワイヤレス通信デバイス１１６は、基地局１０２に量子化フィードバック１２４をも送信し得る。いずれの例でも、量子化フィードバック１２４および／または量子化品質フィードバック１１０ｂは、チャネル状態情報報告の一部として基地局１０２に送信され得る。上記で説明したように、たとえば、量子化フィードバック１２４の複数のインスタンスが生成されたとき、量子化フィードバック１２４および／または量子化品質フィードバック１１０ｂの複数のインスタンスが基地局１０２に送信され得る。
【００６８】
[0077]いくつかの実装形態では、２０８において量子化品質フィードバック１１０を送信することは、送信のために量子化品質フィードバック１１０ｂを準備することを含み得る。たとえば、フィードバック判断ブロック／モジュール１３２は、送信されるべき量子化品質フィードバック１１０ｂを指定すること、量子化品質フィードバック１１０ｂを変調すること、量子化品質フィードバック１１０ｂを符号化すること、および／または量子化品質フィードバック１１０ｂをパケットにフォーマットすることによって、送信のために量子化品質フィードバック１１０ｂを準備し得る。
【００６９】
[0078]図３は、基地局１０２によって量子化品質フィードバック１１０ａを受信するための方法３００の一構成を示す流れ図である。３０２において、基地局１０２の送信機１０４がワイヤレス通信デバイス１１６に信号１２６を送る。たとえば、３０２において、基地局１０２は、チャネル推定値１３０を生成するためにワイヤレス通信デバイス１１６によって使用され得る信号１２６を送る。たとえば、３０２において、基地局１０２は、チャネル推定値１３０を生成するためにワイヤレス通信デバイス１１６によって利用され得る１つまたは複数のパイロット信号または他の信号を送る。
【００７０】
[0079]３０４において、基地局１０２は量子化品質フィードバック１１０ａを受信する。たとえば、基地局１０２は、量子化フィードバック１２４に関連する量子化品質フィードバック１１０ａを含む信号を受信し得る。量子化品質フィードバック１１０ａの例としては、上記で説明したメトリックのうちの１つまたは複数があり得る。量子化品質フィードバック１１０ａは、上記で説明したように、暗黙的または明示的量子化フィードバック１２４に基づき得る。いくつかの実装形態では、３０４において量子化品質フィードバック１１０ａを受信することは、受信した信号から、演算ブロック／モジュール１１２が使用する量子化品質フィードバック１１０ａを抽出することを含み得る。たとえば、基地局１０２は、量子化品質フィードバック１１０ａを取得するために、受信した信号を復調、復号、デスクランブル、アンパックするなどであり得る。
【００７１】
[0080]いくつかの実装形態では、３０４において量子化品質フィードバック１１０ａを受信することは、量子化品質フィードバック１１０ａの複数のインスタンスを受信することを含み得る。たとえば、量子化フィードバック１２４の複数のインスタンスが生成されたとき、基地局１０２は、量子化フィードバック１２４のインスタンスごとに量子化品質フィードバック１１０ａを受信し得る。いくつかの事例では、３０４において、基地局１０２は、チャネル状態情報報告の一部として量子化品質フィードバック１１０ａを受信する。いくつかの実装形態では、基地局１０２は量子化フィードバック１２４を受信し得る。たとえば、基地局１０２は、量子化固有方向、量子化プリコーディング行列インジケータ、量子化チャネル品質インジケータなどを受信し得る。
【００７２】
[0081]３０６において、基地局１０２は、量子化品質フィードバック１１０ａに基づいて１つまたは複数の演算を実行する。たとえば、演算ブロック／モジュール１１２は、ワイヤレス通信デバイス１１６との通信チャネルのための変調およびコーディング方式を判断し得る。変調方式の例としては、２位相シフトキーイング（ＢＰＳＫ）、４位相シフトキーイング（ＱＰＳＫ）、多相シフトキーイング（Ｍ−ＰＳＫ：multiple phase shift keying）、直交振幅変調（ＱＡＭ）および多値直交振幅変調（Ｍ−ＱＡＭ）がある。上記で説明したように、演算ブロック／モジュール１１２はまた、ワイヤレス通信をスケジュールし得る。いくつかの実装形態では、スケジュールすることは、量子化品質フィードバック１１０ａに基づいて１つまたは複数のワイヤレス通信デバイス１１６をグループ化すること含み得る。たとえば、演算ブロック／モジュール１１２は、不十分な量子化品質フィードバック１１０ａをもつワイヤレス通信デバイス１１６に優先して、良好な量子化品質フィードバック１１０ａをもつワイヤレス通信デバイス１１６をスケジュールし得る。スケジューリングの別の例では、演算ブロック／モジュール１１２は、量子化品質フィードバック１１０ａに基づいて送信フォーマットを選択し得る。たとえば、不十分な量子化品質フィードバック１１０ａをもつワイヤレス通信デバイス１１６は、良好な量子化品質フィードバック１１０ａをもつワイヤレス通信デバイス１１６の送信フォーマット（たとえば、マルチユーザ多入力多出力）とは異なる送信フォーマット（たとえば、シングルユーザ多入力多出力）を割り当てられ得る。
【００７３】
[0082]３０６において基地局１０２が実行する演算の他の例としては、１つまたは複数のワイヤレス通信デバイス１１６との通信の際に使用するために、（たとえば、送信干渉ヌリングを助けるために）量子化品質フィードバック１１０ａを外挿すること、通信レートを予測および／または選択すること、送信ビームを選択すること、通信リンクを適応させること、通信干渉を査定すること、通信干渉を抑制すること、ヌリングすること、および共同スケジュールすることがある。これらの演算のうちの１つまたは複数は、上記で説明したように実行され得る。
【００７４】
[0083]いくつかの構成では、演算ブロック／モジュール１１２は、１つまたは複数のワイヤレス通信デバイス１１６への送信のために、送信機１０４に制御情報１１４を与え得る。制御情報１１４は、基地局１０２にデータを送るために、および／または基地局１０２からデータを受信するために、１つまたは複数のワイヤレス通信デバイス１１６によって使用され得る、変調、コーディング、ワイヤレス通信デバイスグルーピング割当て、スケジューリング、レートなどの通信制御情報を示し得る。
【００７５】
[0084]図４は、ワイヤレス通信デバイス１１６によって量子化品質フィードバック１１０ｂを送るための方法４００の別の構成を示す流れ図である。いくつかの手法では、４０２において、ワイヤレス通信デバイス１１６は信号１２６を受信する。いくつかの実装形態では、これは、図２に関して説明したように行われ得る。
【００７６】
[0085]４０４において、ワイヤレス通信デバイス１１６は、信号１２６に基づいてチャネル推定値１３０を生成する。いくつかの実装形態では、これは、図２に関して説明したように行われ得る。
【００７７】
[0086]４０６において、ワイヤレス通信デバイス１１６は、チャネル推定値１３０に基づいて量子化フィードバック１２４を生成する。量子化フィードバック１２４の例としては、量子化固有方向ベクトル、コードブックエントリインジケータ、量子化プリコーディング行列、プリコーディング行列インジケータ、チャネル品質インジケータおよびランクインジケータがある。いくつかの実装形態では、ワイヤレス通信デバイス１１６は、たとえば複数の推定固有方向に対応する、量子化フィードバック１２４の複数のインスタンスを生成し得る。
【００７８】
[0087]いくつかの実装形態では、量子化フィードバック１２４は明示的フィードバックに基づき得る。たとえば、量子化フィードバック１２４は１つまたは複数の量子化固有方向を含み得る。いくつかの実装形態では、４０６において、フィードバック判断ブロック／モジュール１３２が、コードブックに基づいて量子化フィードバック１２４（たとえば、固有方向）を生成する。
【００７９】
[0088]追加または代替として、量子化フィードバック１２４は暗黙的フィードバックに基づき得る。たとえば、量子化フィードバック１２４は、１つまたは複数のプリコーディング行列インジケータ、１つまたは複数のプリコーディング行列の仮定的性能値（たとえば、チャネル品質インジケータ）、またはプリコーディング行列を識別するインデックスを含み得る。いくつかの例では、１つまたは複数のプリコーディング行列の仮定的性能値は、１つまたは複数のプリコーディング行列の下での通信能力を示し得る。
【００８０】
[0089]いくつかの構成では、４０６において、フィードバック判断ブロック／モジュール１３２は、メトリックに基づいて量子化フィードバック１２４を生成する。たとえば、フィードバック判断ブロック／モジュール１３２は、１つまたは複数のプリコーディング行列に関連する１つまたは複数の仮定的性能値を生成し得る。これらの仮定的性能値に基づいて、フィードバック判断ブロック／モジュール１３２は量子化フィードバック１２４（たとえば、１つまたは複数のプリコーディング行列）を生成し得る。別の例では、フィードバック判断ブロック／モジュール１３２は、量子化フィードバック１２４（たとえば、１つまたは複数の量子化固有方向）の品質を測定するためのメトリック（たとえば、式（１）のメトリックＤ）を生成し得る。このメトリックに基づいて、フィードバック判断ブロック／モジュール１３２は、メトリックを最大にする量子化フィードバック１２４を生成し得る。
【００８１】
[0090]４０８において、ワイヤレス通信デバイス１１６は量子化品質フィードバック１１０ｂを生成する。いくつかの実装形態では、これは、図２に関して説明したように行われ得る。
【００８２】
[0091]４１０において、ワイヤレス通信デバイス１１６は、量子化フィードバック１２４を基地局１０２に送信する。いくつかの例では、量子化フィードバック１２４は、チャネル状態情報報告の一部として基地局１０２に送信され得る。上記で説明したように、量子化フィードバック１２４の複数のインスタンスが基地局１０２に送信され得る。
【００８３】
[0092]いくつかの実装形態では、４１０において量子化フィードバック１２４を送信することは、送信のために量子化フィードバック１２４を準備することを含み得る。たとえば、フィードバック判断ブロック／モジュール１３２は、送信されるべき量子化フィードバック１２４を指定すること、量子化フィードバック１２４を変調すること、量子化フィードバック１２４を符号化すること、および／または量子化フィードバック１２４をパケットにフォーマットすることによって、送信のために量子化フィードバック１２４を準備し得る。４１２において、ワイヤレス通信デバイス１１６は量子化品質フィードバック１１０ｂを送信する。いくつかの実装形態では、これは、図２に関して説明したように行われ得る。
【００８４】
[0093]図５は、量子化品質フィードバック１１０ｂを送るために使用され得、本明細書で開示するシステムおよび方法に従って使用され得るユーザ機器５１６の一構成を示すブロック図である。ユーザ機器５１６は、図１に関して説明したワイヤレス通信デバイス１１６の一例であり得る。ユーザ機器５１６は、図１に関して説明した対応する要素と同様の送信機５２０、受信機５１８、１つまたは複数のアンテナ５２２ａ〜ｎ、チャネル推定ブロック／モジュール５２８および／またはフィードバック判断ブロック／モジュール５３２を含み得る。
【００８５】
[0094]いくつかの実装形態では、受信機５１８は、前に説明した信号１２６と同様の信号５２６をチャネル推定ブロック／モジュール５２８に与え得る。チャネル推定ブロック／モジュール５２８は、前に説明したチャネル推定値１３０と同様のチャネル推定値５３０を生成し得る。
【００８６】
[0095]フィードバック判断ブロック／モジュール５３２はプリコーディング行列インジケータ仮定ブロック／モジュール５３４を含み得る。プリコーディング行列インジケータ仮定ブロック／モジュール５３４は１つまたは複数のプリコーディング行列インジケータ仮定を含み得る。１つまたは複数のプリコーディング行列インジケータ仮定は、通信チャネルのためのいくつかのプリコーディング構成を表す１つまたは複数のプリコーディング行列を示し得る。これらのプリコーディング構成は１つまたは複数の通信チャネル特性に基づき得る。これらの１つまたは複数のプリコーディング行列インジケータ仮定から、フィードバック判断ブロック／モジュール５３２は、量子化フィードバック５２４として基地局１０２に送信すべきプリコーディング行列インジケータを選択し得る。
【００８７】
[0096]フィードバック判断ブロック／モジュール５３２は仮定的チャネル品質インジケータ生成ブロック／モジュール５３８を含み得る。仮定的チャネル品質インジケータ生成ブロック／モジュール５３８は、チャネルの通信の品質を示す１つまたは複数の仮定的チャネル品質インジケータを含みおよび／または生成し得る。いくつかの例では、特定の仮定的チャネル品質インジケータは、プリコーディング行列とチャネル推定値５３０とに基づいて通信チャネルの品質を示し得る。
【００８８】
[0097]プリコーディング行列インジケータ選択ブロック／モジュール５３６は、プリコーディング行列インジケータ仮定ブロック／モジュール５３４から１つまたは複数のプリコーディング行列インジケータを選択し得る。プリコーディング行列インジケータ選択ブロック／モジュール５３６では、プリコーディング行列インジケータの選択がチャネル推定値１３０に基づき得る。たとえば、プリコーディング行列インジケータ選択ブロック／モジュール５３６は、通信能力を最大にする１つまたは複数のプリコーディング行列インジケータを選択し得る。いくつかの実装形態では、プリコーディング行列インジケータ選択ブロック／モジュール５３６は、通信能力を判断するためにメトリック（たとえば、仮定的チャネル品質インジケータ）を使用し得る。
【００８９】
[0098]より詳細には、一例では、プリコーディング行列インジケータ選択ブロック／モジュール５３６は、最良の仮定的チャネル品質インジケータをもつ２つのプリコーディング行列インジケータ仮定を選択し得る。プリコーディング行列インジケータおよび／または仮定的チャネル品質インジケータのうちの１つまたは複数は、次いで量子化フィードバック５２４として送信され得る。いくつかの構成では、ただ１つのプリコーディング行列インジケータ／チャネル品質インジケータの組合せまたはペアが量子化フィードバック５２４として送られ得る（たとえば、量子化品質フィードバック５１０は別個であり得る）。また、１つまたは複数のプリコーディング行列インジケータの比および／または１つまたは複数の仮定的チャネル品質インジケータの比が量子化品質フィードバック５１０として送信され得る。いくつかの構成では、たとえば、（たとえば、最良の２つのプリコーディング行列インジケータに対応する）２つのチャネル品質インジケータの比が量子化品質フィードバック５１０として送信され得る。
【００９０】
[0099]これらの例では、１つまたは複数の選択されたプリコーディング行列インジケータが、前に説明した量子化フィードバック１２４と同様の量子化フィードバック５２４として基地局１０２に送信され得る。追加または代替として、１つまたは複数の選択されたプリコーディング行列インジケータに対応する仮定的チャネル品質インジケータが量子化フィードバック５２４として基地局１０２に送信され得る。基地局１０２は、仮定的チャネル品質インジケータを使用して通信チャネルを確立し得る。
【００９１】
[00100]いくつかの実装形態では、フィードバック判断ブロック／モジュール５３２は、１つまたは複数の選択されたプリコーディング行列インジケータおよび／または１つまたは複数の対応する仮定的チャネル品質インジケータに基づいて量子化品質フィードバック５１０を生成し得る。たとえば、ユーザ機器５１６は、１つまたは複数の仮定的チャネル品質インジケータの比較に基づいて量子化品質フィードバック５１０を生成し得る。
【００９２】
[00101]プリコーディング行列インジケータの比較に基づいて量子化品質フィードバック５１０を生成することの一例は以下のように与えられる。プリコーディング行列インジケータ選択ブロック／モジュール５３６が１つまたは複数のプリコーディング行列インジケータを選択し得る。プリコーディング行列インジケータ選択ブロック／モジュール５３６は、次いで、対応する仮定的チャネル品質インジケータを比較し得る。プリコーディング行列インジケータ選択ブロック／モジュール５３６は、次いでプリコーディング行列インジケータの比を作成し得る。この比は、１つまたは複数の選択されたプリコーディング行列仮定の下で通信の品質がどのくらい近くなり得るかを示し得る。いくつかの実装形態では、比を作成するために使用されるプリコーディング行列インジケータは仮定的チャネル品質インジケータに基づき得る。たとえば、プリコーディング行列インジケータ選択ブロック／モジュール５３６は、最良および次善の仮定的チャネル品質インジケータをもつプリコーディング行列インジケータの比を作成し得る。この比は、量子化品質フィードバック５１０として基地局１０２に送信され得る。前に説明したように、基地局１０２は、次いで、このフィードバックに基づいて演算を実行し得る。
【００９３】
[00102]図６は、ユーザ機器５１６によって量子化品質フィードバック５１０を送るための方法６００の一構成を示す流れ図である。いくつかの手法では、６０２において、ユーザ機器５１６は信号５２６を受信する。いくつかの実装形態では、これは、図２で説明したように行われ得る。
【００９４】
[00103]６０４において、ユーザ機器５１６は、信号５２６に基づいてチャネル推定値５３０を生成する。いくつかの実装形態では、これは、図２に関して説明したように行われ得る。
【００９５】
[00104]６０６において、ユーザ機器５１６は１つまたは複数のプリコーディング行列インジケータ仮定を生成する。上記で説明したように、１つまたは複数のプリコーディング行列インジケータ仮定は、通信チャネルのための異なるプリコーディング構成を表す１つまたは複数のプリコーディング行列を示し得る。いくつかの実装形態では、プリコーディング行列インジケータ仮定は別のコンピューティングデバイス（たとえば、基地局１０２）から取得され得る。
【００９６】
[00105]６０８において、ユーザ機器５１６は１つまたは複数の仮定的チャネル品質インジケータを生成する。上記で説明したように、仮定的チャネル品質インジケータはチャネルの通信の品質を示す。いくつかの例では、特定の仮定的チャネル品質インジケータは、特定のプリコーディング行列とチャネル推定値５３０とに基づいて通信の品質を示す。いくつかの実装形態では、６０８において、ユーザ機器５１６は、１つまたは複数のプリコーディング行列インジケータ仮定とチャネル推定値５３０とに基づいて、１つまたは複数の仮定的チャネル品質インジケータを生成する。たとえば、ユーザ機器５１６は、１つまたは複数のプリコーディング行列インジケータ仮定の下でチャネル推定値５３０の通信特性を判断し得る。この例では、６０８において、ユーザ機器５１６は、１つまたは複数のプリコーディング行列インジケータ仮定の下での通信特性を使用して、１つまたは複数の仮定的チャネル品質インジケータを生成する。いくつかの実装形態では、１つまたは複数の仮定的チャネル品質インジケータは、特定のプリコーディング行列とチャネル推定値５３０とに基づいて通信チャネルの性能を示すスカラー値であり得る。
【００９７】
[00106]６１０において、ユーザ機器５１６は１つまたは複数のプリコーディング行列インジケータを選択する。選択は仮定的チャネル品質インジケータに基づき得る。たとえば、ユーザ機器５１６は、良好な対応する仮定的チャネル品質インジケータをもつ１つまたは複数のプリコーディング行列インジケータを選択し得る。いくつかの実装形態では、１つまたは複数の選択されたプリコーディング行列インジケータおよび／または対応する仮定的チャネル品質インジケータは量子化フィードバック５２４として基地局１０２に送信され得る。
【００９８】
[00107]６１２において、ユーザ機器５１６は量子化品質フィードバック５１０を生成する。いくつかの実装形態では、６１２において、ユーザ機器５１６は、１つまたは複数のプリコーディング行列インジケータに基づいて量子化品質フィードバックを生成する。たとえば、ユーザ機器５１６は、１つまたは複数の選択されたプリコーディング行列インジケータの仮定的チャネル品質インジケータを比較し得る。いくつかの実装形態では、比較は、量子化フィードバック５２４の品質を示すスカラー値（たとえば、プリコーディング行列インジケータの比）を生じ得る。この比は量子化品質フィードバック５１０中に含まれ得る。上記で説明したように、基地局１０２は、このフィードバックに基づいて演算を実行し得る。
【００９９】
[00108]６１４において、ユーザ機器５１６は量子化品質フィードバック５１０を送信する。いくつかの実装形態では、これは、図２に関して説明したように行われ得る。
【０１００】
[00109]図７は、量子化品質フィードバック７１０を送るために使用され得、本明細書で開示するシステムおよび方法に従って使用され得るユーザ機器７１６の一構成を示すブロック図である。ユーザ機器７１６は、図１に関して説明したワイヤレス通信デバイス１１６の一例であり得る。さらに、ユーザ機器７１６は、図５に関して説明したユーザ機器５１６と同様であり得る。ユーザ機器７１６は、図１に関して説明した対応する要素と同様の送信機７２０、受信機７１８、１つまたは複数のアンテナ７２２ａ〜ｎ、チャネル推定ブロック／モジュール７２８および／またはフィードバック判断ブロック／モジュール７３２を含み得る。
【０１０１】
[00110]いくつかの実装形態では、受信機７１８は、前に説明した信号１２６と同様の信号７２６をチャネル推定ブロック／モジュール７２８に与え得る。チャネル推定ブロック／モジュール７２８は、前に説明したチャネル推定値１３０と同様のチャネル推定値７３０を生成し得る。
【０１０２】
[00111]いくつかの実装形態では、フィードバック判断ブロック／モジュール７３２はコードブック７４２を含み得る。フィードバック判断ブロック／モジュール７３２は、コードブック７４２に基づいて量子化フィードバック７２４と量子化品質フィードバック７１０とを生成し得る。たとえば、フィードバック判断ブロック／モジュール７３２は、コードブック７４２エントリに基づいて１つまたは複数の固有方向を量子化し得る。
【０１０３】
[00112]固有方向生成ブロック／モジュール７４０は１つまたは複数の非量子化固有方向を生成し得る。非量子化固有方向はチャネル推定値７３０に基づき得る。たとえば、固有方向生成ブロック／モジュール７４０は、非量子化固有方向を生成するために、チャネル推定値７３０に対して特異値分解を実行し得る。
【０１０４】
[00113]固有方向生成ブロック／モジュール７４０は量子化固有方向を生成し得る。量子化固有方向は、量子化の品質を示すメトリックに基づいて生成され得る。いくつかの実装形態では、量子化固有方向はコードブック７４２に基づき得る。たとえば、固有方向生成ブロック／モジュール７４０は、メトリック（たとえば、式（１）に示されたメトリックＤ）を最大にするコードブック７４２エントリに基づいて固有方向を量子化し得る。
【０１０５】
[00114]いくつかの実装形態では、量子化固有方向は、量子化フィードバック７２４として基地局１０２に送信され得る。複数の推定固有方向の場合、固有方向生成ブロック／モジュール７４０は、量子化フィードバック７２４として量子化固有方向の複数のインスタンスを生成し得る。
【０１０６】
[00115]固有方向生成ブロック／モジュール７４０は、１つまたは複数の量子化固有方向に基づいて量子化品質フィードバック７１０を生成し得る。たとえば、量子化フィードバック７２４（たとえば、１つまたは複数の固有方向の量子化）の品質を測定するメトリックが量子化品質フィードバック７１０として基地局１０２に送信され得る。いくつかの実装形態では、固有方向生成ブロック／モジュール７４０は、量子化品質フィードバック７１０（たとえば、メトリック）を量子化してから、それを基地局１０２に送信し得る。複数の固有方向の場合、固有方向生成ブロック／モジュール７４０は、複数の量子化固有方向に対応する量子化品質フィードバック７１０の複数のインスタンスを生成し得る。
【０１０７】
[00116]図８は、ユーザ機器７１６によって量子化品質フィードバック７１０を送るための方法８００の別の構成を示す流れ図である。いくつかの手法では、８０２において、ユーザ機器７１６は信号７２６を受信する。いくつかの実装形態では、これは、図２で説明したように行われ得る。
【０１０８】
[00117]８０４において、ユーザ機器７１６は、信号７２６に基づいてチャネル推定値７３０を生成する。いくつかの実装形態では、これは、図２に関して説明したように行われ得る。
【０１０９】
[00118]８０６において、ユーザ機器７１６は、チャネル推定値７３０に基づいて１つまたは複数の固有方向を生成する。いくつかの実装形態では、ユーザ機器７１６は、８０６において１つまたは複数の固有方向を生成するために、チャネル推定値７３０の特異値分解を実行し得る。
【０１１０】
[00119]８０８において、ユーザ機器７１６は、量子化品質を測定するメトリックを生成する。たとえば、メトリックは、量子化フィードバック７２４（たとえば、１つまたは複数の量子化固有方向）に基づいて、通信チャネルの品質（たとえば、不確実性、信頼性および／または忠実度）を示し得る。上記で説明したように、メトリックは、量子化品質フィードバック７１０として基地局１０２に送信され得る。したがって、量子化品質フィードバック７１０（たとえば、メトリック）は、基地局１０２がそれにより演算を実行し得る量子化フィードバックの信頼性を示し得る。いくつかの実装形態では、メトリックは、量子化の品質を測定するスカラー値、たとえば、式（１）からのメトリックＤであり得る。
【０１１１】
[00120]８１０において、ユーザ機器７１６は１つまたは複数の固有方向を量子化する。上記で説明したように、８１０において、ユーザ機器７１６は、コードブック７４２に基づいて、たとえば、コードブック７４２中の特定のエントリに基づいて１つまたは複数の固有方向を量子化する。いくつかの構成では、ユーザ機器７１６では、量子化が、量子化品質を測定するメトリックに基づき得る。たとえば、ユーザ機器７１６は、メトリック（たとえば、式（１）からのメトリックＤ）を最大にするコードブック７４２エントリを使用して、１つまたは複数の固有方向を量子化し得る。
【０１１２】
[00121]８１２において、ユーザ機器７１６は量子化品質フィードバック７１０を生成する。いくつかの実装形態では、８１２において、ユーザ機器７１６は、メトリックに基づいて量子化品質フィードバックを生成する。たとえば、ユーザ機器７１６は、量子化品質フィードバック７１０としてメトリックを送信し得る。いくつかの手法によれば、ユーザ機器７１６は、メトリックを量子化し、量子化された量子化品質フィードバック７１０としてメトリックを送信し得る。
【０１１３】
[00122]８１４において、ユーザ機器７１６は量子化品質フィードバック７１０を送信する。いくつかの実装形態では、これは、図２に関して説明したように行われ得る。
【０１１４】
[00123]図９は、量子化品質フィードバック９１０を受信するために使用され得、本明細書で開示するシステムおよび方法に従って使用され得る発展型ノードＢ９４４の一構成を示すブロック図である。発展型ノードＢ９４４は、図１に関して前に説明した基地局１０２の一例であり得る。発展型ノードＢ９４４は、図１に関して上記で説明した対応する要素と同様の送信機９０４、受信機９０６、１つまたは複数のアンテナ９０８ａ〜ｎおよび／または演算ブロック／モジュール９１２を含み得る。上記で説明したように、発展型ノードＢ９４４は、受信機９０６を通して、前に説明した量子化品質フィードバック１１０ａと同様の量子化品質フィードバック９１０を受信し得る。量子化品質フィードバック９１０は演算ブロック／モジュール９１２に与えられ得る。
【０１１５】
[00124]演算ブロック／モジュール９１２は、量子化品質フィードバック９１０に基づいて演算を実行する１つまたは複数のブロック／モジュールを含み得る。たとえば、変調判断ブロック／モジュール９５４は、発展型ノードＢ９４４と別のワイヤレス通信デバイス１１６（たとえば、ユーザ機器７１６）との間の通信チャネルのための変調フォーマットを判断し得る。変調方式の例としては、２位相シフトキーイング、４位相シフトキーイング、多相シフトキーイング、直交振幅変調および多値直交振幅変調がある。コーディングブロック／モジュール９６０は、発展型ノードＢ９４４と別のワイヤレス通信デバイス１１６との間の通信チャネルのためのコーディングフォーマットを判断し得る。
【０１１６】
[00125]通信レート判断ブロック／モジュール９５０は、発展型ノードＢ９４４とワイヤレス通信デバイス１１６（たとえば、ユーザ機器７１６）との間の通信レートを判断し得る。たとえば、通信レート判断ブロック／モジュール９５０は、不十分な量子化品質フィードバック９１０をもつ通信チャネルのためにより遅い通信レートを判断し得る。
【０１１７】
[00126]スケジューリングブロック／モジュール９４８はワイヤレス通信をスケジュールし得る。たとえば、良好な量子化品質フィードバック９１０をもつワイヤレス通信デバイス１１６は、不十分な量子化品質フィードバック９１０をもつワイヤレス通信デバイス１１６に優先してスケジュールされ得る。スケジューリングブロック／モジュール９４８はまた、通信チャネルにリソースを割り振り得る。スケジューリングブロック／モジュール９４８によって割り振られ得るリソースの例としては、限定はしないが、タイムスロット、周波数サブバンド、空間ストリームなどがある。
【０１１８】
[00127]グルーピングブロック／モジュール９５２は、量子化品質フィードバック９１０に基づいて、１つまたは複数のワイヤレス通信デバイス１１６をカテゴリー分類し得る。たとえば、グルーピングブロック／モジュール９５２は、良好な量子化品質フィードバック９１０をもつワイヤレス通信デバイス１１６を一緒にグループ化し得る。同様に、グルーピングブロック／モジュール９５２は、不十分な量子化品質フィードバック９１０をもつワイヤレス通信デバイス１１６を一緒にグループ化し得る。
【０１１９】
[00128]リンク適応ブロック／モジュール９５８は、量子化品質フィードバック９１０に基づいて、発展型ノードＢ９４４とワイヤレス通信デバイス１１６との間の通信リンクを適応させ得る。たとえば、リンク適応ブロック／モジュール９５８は、通信レート、変調、コーディング、誤り制御コーディングなどのうちの１つまたは複数を適応させ得る。
【０１２０】
[00129]ビーム選択ブロック／モジュール９５６は、量子化品質フィードバック９１０に基づいて通信ビーム（たとえば、ビーム指向性）を選択し得る。干渉抑圧ブロック／モジュール９６２は、量子化品質フィードバック９１０に基づいて干渉を査定し得る。たとえば、干渉抑圧ブロック／モジュール９６２は、１つまたは複数の信号の干渉を査定し得る。干渉抑圧ブロック／モジュール９６２はまた、異なる信号によって引き起こされる干渉を抑制し得る。
【０１２１】
[00130]いくつかの構成では、外挿ブロック／モジュール９４６は、量子化品質フィードバック９１０に基づいて情報を外挿し得る。たとえば、外挿ブロック／モジュール９４６は、干渉抑圧および／またはヌリングを支援するために、ワイヤレス通信デバイス１１６から受信した量子化品質フィードバック９１０に基づいてチャネル品質インジケータを外挿し得る。いくつかの実装形態では、演算ブロック／モジュール９１２は、１つまたは複数のユーザ機器７１６への送信のために、制御情報１１４と同様の制御情報９１４を送信機９０４に与え得る。
【０１２２】
[00131]図１０は、発展型ノードＢ９４４によって量子化品質フィードバック９１０を受信するための方法１０００の一構成を示す流れ図である。いくつかの手法では、１００２において、発展型ノードＢ９４４は信号１２６を送る。いくつかの実装形態では、これは、図３に関して説明したように行われ得る。
【０１２３】
[00132]１００４において、発展型ノードＢ９４４は量子化フィードバックを受信する。上記で説明したように、量子化フィードバックは明示的または暗黙的フィードバックに基づき得る。量子化フィードバックの例としては、量子化固有方向、量子化プリコーディング行列、プリコーディング行列インジケータ、仮定的チャネル品質インジケータなどがある。いくつかの事例では、１００４において、発展型ノードＢ９４４は、たとえば、推定フィードバック（たとえば、非量子化固有方向）の複数のインスタンスに対応する、量子化フィードバックの複数のインスタンスを受信する。１００４において量子化フィードバック１２４を受信することは、受信した信号から、演算ブロック／モジュール９１２が使用する量子化フィードバックを抽出することを含み得る。たとえば、発展型ノードＢ９４４は、量子化品質フィードバック９１０を取得するために、受信した信号を復調、復号、デスクランブル、アンパックするなどであり得る。いくつかの構成によれば、１００４において、発展型ノードＢ９４４は、チャネル状態情報報告の一部として量子化フィードバックを受信する。
【０１２４】
[00133]１００６において、発展型ノードＢ９４４は量子化品質フィードバック９１０を受信する。いくつかの実装形態では、これは、図３に関して説明したように行われ得る。
【０１２５】
[00134]１００８において、発展型ノードＢ９４４は、量子化品質フィードバック９１０に基づいて１つまたは複数の演算を実行する。いくつかの実装形態では、これは、図３に関して説明したように行われ得る。
【０１２６】
[00135]場合によっては、１０１０において、発展型ノードＢ９４４は制御情報９１４を送る。たとえば、発展型ノードＢ９４４は、１つまたは複数のワイヤレス通信デバイス１１６への送信のために、送信機９０４に制御情報９１４を送り得る。上記で説明したように、制御情報９１４は、発展型ノードＢ９４４にデータを送るために、および／または発展型ノードＢ９４４からデータを受信するために、１つまたは複数のワイヤレス通信デバイス１１６によって使用され得る、変調、コーディング、ワイヤレス通信デバイス１１６グルーピング割当て、スケジューリング、レートなどの通信制御情報を示し得る。
【０１２７】
[00136]図１１は、発展型ノードＢ１１４４およびユーザ機器１１１６によって量子化品質フィードバック９１０を送信および受信するための方法の一例を示すスレッド図である。いくつかの実装形態によれば、発展型ノードＢ１１４４およびユーザ機器１１１６は、それぞれ図９および図７に関して前に説明した対応する要素と同様であり得る。
【０１２８】
[00137]一実装形態では、１１０２において、発展型ノードＢ１１４４はユーザ機器１１１６に信号１２６を送る。信号に基づいて、１１０４において、ユーザ機器１１１６は、通信チャネルの１つまたは複数の特性の測定値を含み得るチャネル推定値１３０を生成する。いくつかの実装形態では、１１０６において、ユーザ機器１１１６は量子化フィードバック１２４を生成する。いくつかの実装形態では、量子化フィードバック１２４はチャネル推定値１３０に基づき得る。たとえば、ユーザ機器１１１６は、１つまたは複数の固有方向を生成するために、チャネル推定値１３０の特異値分解を実行し得る。ユーザ機器１１１６は、次いで、量子化フィードバック１２４を生成するために、１つまたは複数の固有方向を量子化し得る。
【０１２９】
[00138]１１０８において、ユーザ機器１１１６は量子化品質フィードバック９１０を生成する。量子化品質フィードバック９１０は量子化フィードバック１２４の品質の測度であり得る。たとえば、量子化品質フィードバック９１０は、量子化フィードバック１２４（たとえば、１つまたは複数の量子化固有方向）の品質を示すメトリックであり得る。１１１０において、ユーザ機器１１１６は、量子化フィードバック１２４を発展型ノードＢ１１４４に送信する。同様に、１１１２において、ユーザ機器１１１６は、量子化品質フィードバック９１０を発展型ノードＢ１１４４に送信する。いくつかの事例では、ユーザ機器１１１６は、量子化フィードバック１２４および／または量子化品質フィードバック９１０の複数のインスタンスを送信し得る。このフィードバックは、チャネル状態情報報告の一部として発展型ノードＢ１１４４に送信され得る。
【０１３０】
[00139]受信すると、１１１４において、発展型ノードＢ１１４４は、量子化品質フィードバック９１０に基づいて演算を実行する。場合によっては、１１１８において、発展型ノードＢ１１４４はユーザ機器１１１６に制御情報を送る。
【０１３１】
[00140]図１２は、多入力多出力システムにおいて使用され得、本明細書で開示するシステムおよび方法に従って使用され得る基地局１２０２のブロック図である。基地局１２０２の例としては、上記で説明した基地局１０２および発展型ノードＢ９４４のうちの１つまたは複数があり得る。基地局１２０２において、いくつかのデータストリームのトラフィックデータ（たとえば、制御情報）が、１つまたは複数のデータソース１２６４および／またはアプリケーションプロセッサ１２６６からベースバンドプロセッサ１２７０に与えられる。特に、トラフィックデータは、ベースバンドプロセッサ１２７０中に含まれる送信処理ブロック／モジュール１２７４に与えられ得る。各データストリームは、次いで、それぞれの送信アンテナ１２６８ａ〜ｎを介して送信され得る。送信処理ブロック／モジュール１２７４は、コード化データを与えるために、各データストリームのトラフィックデータを、そのデータストリームのために選択された特定のコーディング方式に基づいてフォーマットし、コーディングし、インターリーブし得る。
【０１３２】
[00141]各データストリームのコード化データは、直交周波数分割多重（ＯＦＤＭ）技法を使用して、パイロット生成器１２７２からのパイロットデータと多重化され得る。パイロットデータは、知られている方法で処理される知られているデータパターンであり、チャネル応答を推定するために受信機において使用され得る。各ストリームの多重化されたパイロットおよびコード化データは、次いで、変調シンボルを与えるために、そのデータストリームのために選択された特定の変調方式（たとえば、２位相シフトキーイング、４位相シフトキーイング、多相シフトキーイング、直交振幅変調または多値直交振幅変調）に基づいて変調（たとえば、シンボルマッピング）される。各データストリームのデータレート、コーディング、および変調は、プロセッサによって実行される命令によって判断され得る。
【０１３３】
[00142]データストリームの変調シンボルは送信（ＴＸ）多入力多出力（ＭＩＭＯ）処理ブロック／モジュール１２８２に与えられ得、送信多入力多出力処理ブロック／モジュール１２８２はさらに（たとえば、直交周波数分割多重用に）変調シンボルを処理し得る。送信多入力多出力処理ブロック／モジュール１２８２は、次いで、いくつかの変調シンボルストリームを送信機１２８４ａ〜ｎに与える。送信多入力多出力処理ブロック／モジュール１２８２は、データストリームのシンボルと、シンボルがそこから送信されているアンテナ１２８６とにビームフォーミング重みを適用し得る。
【０１３４】
[00143]各送信機１２８４は、それぞれのシンボルストリームを受信し、処理して、１つまたは複数のアナログ信号を与え、さらに、それらのアナログ信号を調整（たとえば、増幅、フィルタ処理、およびアップコンバート）して、多入力多出力チャネルを介して送信するのに適した被変調信号を与え得る。送信機１２８４ａ〜ｎからの被変調信号は、次いで、それぞれアンテナ１２８６ａ〜ｎから送信される。たとえば、被変調信号はワイヤレス通信デバイス（図１２に図示せず）に送信され得る。
【０１３５】
[00144]基地局１２０２は（たとえば、ワイヤレス通信デバイスから）被変調信号を受信し得る。これらの被変調信号はアンテナ１２８６によって受信され、受信機１２８４によって調整（たとえば、フィルタ処理、増幅、ダウンコンバート、デジタル化）される。言い換えれば、各受信機１２８４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与え得る。
【０１３６】
[00145]ベースバンドプロセッサ１２７０中に含まれる受信処理ブロック／モジュール１２７８が、次いで、受信機１２８４から受信したシンボルストリームを受信し、特定の受信機処理技法に基づいて処理して、いくつかの「検出」ストリームを与える。受信処理ブロック／モジュール１２７８は、各ストリームを復調し、デインターリーブし、復号して、データストリームのトラフィックデータを復元する。
【０１３７】
[00146]ベースバンドプロセッサ１２７０中に含まれるプリコーディング処理ブロック／モジュール１２７６は、受信処理ブロック／モジュール１２７８からチャネル状態情報を受信し得る。プリコーディング処理ブロック／モジュール１２７６は、次いで、ビームフォーミング重みを判断するためにどのプリコーディング行列を使用すべきかを判断し、次いで、抽出されたメッセージを処理する。ベースバンドプロセッサ１２７０は、ベースバンドメモリ１２８０に情報を記憶し、ベースバンドメモリ１２８０から情報を取り出し得ることに留意されたい。
【０１３８】
[00147]ベースバンドプロセッサ１２７０は、上記で説明した量子化品質フィードバック１１０ａに基づいて演算のうちの１つまたは複数を実行し得る。たとえば、プリコーディング処理ブロック／モジュール１２７６、送信処理ブロック／モジュール１２７４、および送信多入力多出力ブロック／モジュール１２８２のうちの１つまたは複数が、量子化品質フィードバック１１０ａに基づいて演算のうちの１つまたは複数を実行し得る。代替または追加として、アプリケーションプロセッサ１２６６が、上記で説明した量子化品質フィードバック１１０ａに基づいて演算のうちの１つまたは複数を実行し得る。
【０１３９】
[00148]ベースバンドプロセッサ１２７０によって復元されたトラフィックデータは、アプリケーションプロセッサ１２６６に与えられ得る。アプリケーションプロセッサ１２６６は、アプリケーションメモリ１２６８に情報を記憶し、アプリケーションメモリ１２６８から情報を取り出し得る。
【０１４０】
[00149]図１３に、基地局１３０２内に含まれ得るいくつかの構成要素を示す。上記で説明した基地局１０２と発展型ノードＢ（ｅＮＢ）９４４および１１４４とのうちの１つまたは複数は、図１３に示す基地局１３０２と同様に構成され得る。
【０１４１】
[00150]基地局１３０２はプロセッサ１３１７を含む。プロセッサ１３１７は、汎用シングルまたはマルチチップマイクロプロセッサ（たとえば、ＡＲＭ）、専用マイクロプロセッサ（たとえば、デジタル信号プロセッサ（ＤＳＰ））、マイクロコントローラ、プログラマブルゲートアレイなどであり得る。プロセッサ１３１７は中央処理ユニット（ＣＰＵ）と呼ばれることがある。図１３の基地局１３０２には単一のプロセッサ１３１７のみを示しているが、代替構成では、プロセッサの組合せ（たとえば、ＡＲＭとＤＳＰ）が使用され得る。
【０１４２】
[00151]基地局１３０２はまた、プロセッサ１３１７と電子通信しているメモリ１３０１を含む（すなわち、プロセッサ１３１７は、メモリ１３０１から情報を読み取り、および／またはメモリ１３０１に情報を書き込むことができる）。メモリ１３０１は、電子情報を記憶することが可能な任意の電子的構成要素であり得る。メモリ１３０１は、ランダムアクセスメモリ（ＲＡＭ）、読取り専用メモリ（ＲＯＭ）、磁気ディスク記憶媒体、光記憶媒体、ＲＡＭ中のフラッシュメモリデバイス、プロセッサとともに含まれるオンボードメモリ、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ（登録商標））、レジスタなど、およびそれらの組合せであり得る。
【０１４３】
[00152]データ１３０３および命令１３０５はメモリ１３０１に記憶され得る。命令１３０５は、１つまたは複数のプログラム、ルーチン、サブルーチン、関数、プロシージャ、コードなどを含み得る。命令１３０５は、単一のコンピュータ可読ステートメントまたは多くのコンピュータ可読ステートメントを含み得る。命令１３０５は、上記で説明した方法のうちの１つまたは複数を実装するために、プロセッサ１３１７によって実行可能であり得る。命令１３０５を実行することは、メモリ１３０１に記憶されたデータ１３０３の使用を含み得る。図１３は、プロセッサ１３１７にロードされているいくつかの命令１３０５ａとデータ１３０３ａとを示している。
【０１４４】
[00153]基地局１３０２はまた、基地局１３０２とリモートロケーション（たとえば、別の送信通信デバイス、アクセス端末、アクセスポイントなど）との間の信号の送信および受信を可能にするための送信機１３１３と受信機１３１５とを含み得る。送信機１３１３と受信機１３１５とはトランシーバ１３１１と総称されることがある。アンテナ１３０９はトランシーバ１３１１に電気的に結合され得る。基地局１３０２はまた、複数の送信機、複数の受信機、複数のトランシーバおよび／または複数のアンテナを含み得る（図示せず）。
【０１４５】
[00154]基地局１３０２の様々な構成要素は、電力バス、制御信号バス、ステータス信号バス、データバスなどを含み得る、１つまたは複数のバスによって互いに結合され得る。簡単のために、図１３では様々なバスはバスシステム１３０７として示してある。
【０１４６】
[00155]図１４に、ワイヤレス通信デバイス１４１６内に含まれ得るいくつかの構成要素を示す。上記で説明したワイヤレス通信デバイス１１６とユーザ機器５１６、７１６および１１１６とのうちの１つまたは複数は、図１４に示すワイヤレス通信デバイス１４１６と同様に構成され得る。
【０１４７】
[00156]ワイヤレス通信デバイス１４１６はプロセッサ１４１７を含む。プロセッサ１４１７は、汎用シングルまたはマルチチップマイクロプロセッサ（たとえば、ＡＲＭ）、専用マイクロプロセッサ（たとえば、デジタル信号プロセッサ（ＤＳＰ））、マイクロコントローラ、プログラマブルゲートアレイなどであり得る。プロセッサ１４１７は中央処理ユニット（ＣＰＵ）と呼ばれることがある。図１４のワイヤレス通信デバイス１４１６には単一のプロセッサ１４１７のみを示しているが、代替構成では、プロセッサ１４１７（たとえば、ＡＲＭとＤＳＰ）の組合せが使用され得る。
【０１４８】
[00157]ワイヤレス通信デバイス１４１６はまた、プロセッサ１４１７と電子通信しているメモリ１４０１を含む（すなわち、プロセッサ１４１７は、メモリ１４０１から情報を読み取り、および／またはメモリ１４０１に情報を書き込むことができる）。メモリ１４０１は、電子情報を記憶することが可能な任意の電子的構成要素であり得る。メモリ１４０１は、ランダムアクセスメモリ（ＲＡＭ）、読取り専用メモリ（ＲＯＭ）、磁気ディスク記憶媒体、光記憶媒体、ＲＡＭ中のフラッシュメモリデバイス、プロセッサ１４１７とともに含まれるオンボードメモリ、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ）、レジスタなど、およびそれらの組合せであり得る。
【０１４９】
[00158]データ１４０３および命令１４０５はメモリ１４０１に記憶され得る。命令１４０５は、１つまたは複数のプログラム、ルーチン、サブルーチン、関数、プロシージャ、コードなどを含み得る。命令１４０５は、単一のコンピュータ可読ステートメントまたは多くのコンピュータ可読ステートメントを含み得る。命令１４０５は、上記で説明した方法のうちの１つまたは複数を実装するために、プロセッサ１４１７によって実行可能であり得る。命令１４０５を実行することは、メモリ１４０１に記憶されたデータ１４０３の使用を含み得る。図１４は、プロセッサ１４１７にロードされている（メモリ１４０１中の命令１４０５およびデータ１４０３から来ることがある）いくつかの命令１４０５ａおよびデータ１４０３ａを示している。
【０１５０】
[00159]ワイヤレス通信デバイス１４１６はまた、ワイヤレス通信デバイス１４１６とリモートロケーション（たとえば、通信デバイス、基地局など）との間の信号の送信および受信を可能にするための送信機１４１３と受信機１４１５とを含み得る。送信機１４１３と受信機１４１５とはトランシーバ１４１１と総称されることがある。アンテナ１４０９はトランシーバ１４１１に電気的に結合され得る。ワイヤレス通信デバイス１４１６はまた、複数の送信機、複数の受信機、複数のトランシーバおよび／または複数のアンテナを含み得る（図示せず）。
【０１５１】
[00160]いくつかの構成では、ワイヤレス通信デバイス１４１６は、音響信号をキャプチャするための１つまたは複数のマイクロフォンを含み得る。一構成では、マイクロフォンは、音響信号（たとえば、ボイス、音声）を電気または電子信号に変換するトランスデューサであり得る。追加または代替として、ワイヤレス通信デバイス１４１６は１つまたは複数のスピーカーを含み得る。一構成では、スピーカーは、電気信号または電子信号を音響信号に変換するトランスデューサであり得る。
【０１５２】
[00161]ワイヤレス通信デバイス１４１６の様々な構成要素は、電力バス、制御信号バス、ステータス信号バス、データバスなどを含み得る、１つまたは複数のバスによって互いに結合され得る。簡単のために、図１４では様々なバスはバスシステム１４０７として示してある。
【０１５３】
[00162]上記の説明では、様々な用語とともに参照番号を時々使用した。用語が参照番号とともに使用されている場合、これは、図のうちの１つまたは複数に示された特定の要素を指すものとされ得る。用語が参照番号なしに使用されている場合、これは、概して特定の図に限定されない用語を指すものとされ得る。
【０１５４】
[00163]「判断」という用語は、多種多様なアクションを包含し、したがって、「判断」は、計算、算出、処理、導出、調査、ルックアップ（たとえば、テーブル、データベースまたは別のデータ構造でのルックアップ）、確認などを含むことができる。また、「判断」は、受信（たとえば、情報を受信すること）、アクセス（たとえば、メモリ中のデータにアクセスすること）などを含むことができる。また、「判断」は、解決、選択、選定、確立などを含むことができる。
【０１５５】
[00164]「に基づいて」という句は、別段に明記されていない限り、「のみに基づいて」を意味しない。言い換えれば、「に基づいて」という句は、「のみに基づいて」と「に少なくとも基づいて」の両方を表す。
【０１５６】
[00165]「結合する」という用語およびそれの変形は、要素間の直接または間接接続を示し得る。たとえば、第２の要素に結合された第１の要素は、第２の要素に直接接続されるか、または別の要素を通して第２の要素に間接的に接続され得る。
【０１５７】
[00166]本明細書で説明した機能は、１つまたは複数の命令としてプロセッサ可読媒体またはコンピュータ可読媒体上に記憶され得る。「コンピュータ可読媒体」という用語は、コンピュータまたはプロセッサによってアクセスされ得る任意の利用可能な媒体を指す。限定ではなく例として、そのような媒体は、ＲＡＭ、ＲＯＭ、ＥＥＰＲＯＭ、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコードを記憶するために使用され得、コンピュータによってアクセスされ得る、任意の他の媒体を備え得る。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。コンピュータ可読媒体は有形で非一時的であり得ることに留意されたい。「コンピュータプログラム製品」という用語は、コンピューティングデバイスまたはプロセッサによって実行、処理または計算され得るコードまたは命令（たとえば、「プログラム」）と組み合わせたコンピューティングデバイスまたはプロセッサを指す。本明細書で使用する「コード」という用語は、コンピューティングデバイスまたはプロセッサによって実行可能であるソフトウェア、命令、コードまたはデータを指すことがある。
【０１５８】
[00167]ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【０１５９】
[00168]本明細書で開示した方法は、説明した方法を達成するための１つまたは複数のステップまたはアクションを備える。本方法のステップおよび／またはアクションは、特許請求の範囲から逸脱することなく互いに交換され得る。言い換えれば、本明細書で説明した方法の適切な動作のためにステップまたはアクションの特定の順序が必要とされない限り、特定のステップおよび／またはアクションの順序および／または使用は、特許請求の範囲を逸脱することなく修正され得る。
【０１６０】
[00169]特許請求の範囲は、上記に示した厳密な構成および構成要素に限定されないことを理解されたい。特許請求の範囲から逸脱することなく、本明細書で説明したシステム、方法、および装置の構成、動作および詳細において、様々な修正、変更および変形が行われ得る。
【図１】
2014526828.tif 000008
【図２】
2014526828.tif 000009
【図３】
2014526828.tif 000010
【図４】
2014526828.tif 000011
【図５】
2014526828.tif 000012
【図６】
2014526828.tif 000013
【図７】
2014526828.tif 000014
【図８】
2014526828.tif 000015
【図９】
2014526828.tif 000016
【図１０】
2014526828.tif 000017
【図１１】
2014526828.tif 000018
【図１２】
2014526828.tif 000019
【図１３】
2014526828.tif 000020
【図１４】
2014526828.tif 000021
【国際調査報告】
2014526828.tif 000022
2014526828.tif 000023
2014526828.tif 000024
2014526828.tif 000025
2014526828.tif 000026
2014526828.tif 000027
2014526828.tif 000028